(57)【特許請求の範囲】
【請求項１】
セル間干渉を低減する方法であって、
前記方法は、
第１のセルからユーザー機器に第２のセルのセル−特定参照信号（ＣＲＳ）に関する情報を伝送することを含み、
前記第２のセルのＣＲＳに関する情報は、前記第２のセルのＣＲＳアンテナポートの数を明示的に示す情報を含み、
前記第２のセルのＣＲＳに関する情報は、前記第２のセルのＣＲＳからのセル間干渉を低減するために前記ユーザー機器により使用される、方法。
【請求項２】
前記第２のセルのＣＲＳに関する情報は、データ領域内のＣＲＳを含むサブフレームを示す前記第２のセルのサブフレーム構成をさらに含む、請求項１に記載の方法。
【請求項３】
前記サブフレーム構成は、前記第２のセルのＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）サブフレーム構成を含む、請求項２に記載の方法。
【請求項４】
前記第２のセルのＣＲＳに関する情報は、上位層シグナリングを介して前記第１のセルから提供される、請求項１に記載の方法。
【請求項５】
前記第２のセルのＣＲＳ伝送リソース要素（ＲＥ）は、前記第２のセルのＣＲＳに関する情報に基づいて前記ユーザー機器により決定される、請求項１に記載の方法。
【請求項６】
前記第２のセルのＣＲＳ伝送ＲＥと重なる前記第１のセルのサブフレームのＲＥの少なくとも一部は、前記第１のセルのダウンリンクチャネルに対して使用されない、請求項１に記載の方法。
【請求項７】
前記第１のセルのサブフレームのＲＥの前記少なくとも一部は、ヌルＲＥとして構成される、請求項６に記載の方法。
【請求項８】
前記第１のセルは、サービングセルであり、前記第２のセルは、隣接セルである、請求項１に記載の方法。
【請求項９】
セル間干渉を低減する方法であって、
前記方法は、
ユーザー機器において、第１のセルから第２のセルのセル−特定参照信号（ＣＲＳ）に関する情報を受信することを含み、
前記第２のセルのＣＲＳに関する情報は、前記第２のセルのＣＲＳアンテナポートの数を明示的に示す情報を含み、
前記第２のセルのＣＲＳに関する情報は、前記第２のセルのＣＲＳからのセル間干渉を低減するために前記ユーザー機器により使用される、方法。
【請求項１０】
セル間干渉を低減する第１のセルの基地局であって、
前記基地局は、
ユーザー機器からアップリンク信号を受信する受信モジュールと、
前記ユーザー機器にダウンリンク信号を伝送する伝送モジュールと、
前記伝送モジュールを制御することにより、前記第１のセルから前記ユーザー機器に第２のセルのセル−特定参照信号（ＣＲＳ）に関する情報を伝送するように構成されたプロセッサと
を備え、
前記第２のセルのＣＲＳに関する情報は、前記第２のセルのＣＲＳアンテナポートの数を明示的に示す情報を含み、
前記第２のセルのＣＲＳに関する情報は、前記第２のセルのＣＲＳからのセル間干渉を低減するために前記ユーザー機器により使用される、基地局。
【請求項１１】
セル間干渉を低減するユーザー機器であって、
前記ユーザー機器は、
第１のセルの基地局からダウンリンク信号を受信する受信モジュールと、
前記第１のセルの基地局にアップリンク信号を伝送する伝送モジュールと、
前記受信モジュールを制御することにより、前記第１のセルから第２のセルのセル−特定参照信号（ＣＲＳ）に関する情報を前記ユーザー機器において受信するように構成されたプロセッサと
を備え、
前記第２のセルのＣＲＳに関する情報は、前記第２のセルのＣＲＳアンテナポートの数を明示的に示す情報を含み、
前記第２のセルのＣＲＳに関する情報は、前記第２のセルのＣＲＳからのセル間干渉を低減するために前記ユーザー機器により使用される、ユーザー機器。
【発明の詳細な説明】
【技術分野】
【０００１】
以下の説明は、無線通信システムに係り、特に、無線通信システムにおいてセル間干渉（ｉｎｔｅｒ−ｃｅｌｌ  ｉｎｔｅｒｆｅｒｅｎｃｅ）を低減する方法及び装置に関する。
【背景技術】
【０００２】
図１は、マクロ（ｍａｃｒｏ）基地局及びマイクロ（ｍｉｃｒｏ）基地局を含む異種ネットワーク無線通信システム１００を示す図である。本文書でいう異種ネットワーク（ｈｅｔｅｒｏｇｅｎｅｏｕｓ  ｎｅｔｗｏｒｋ）とは、同一のＲＡＴ（Ｒａｄｉｏ  Ａｃｃｅｓｓ  Ｔｅｃｈｎｏｌｏｇｙ）を用いる場合でも、マクロ基地局１１０とマイクロ基地局１２１及び１２２とが共存するネットワークを指す。
【０００３】
マクロ基地局１１０は、広いカバレッジ及び高い伝送電力を有するもので、無線通信システムの一般的な基地局を意味する。マクロ基地局１１０をマクロセルと称することもできる。
【０００４】
マイクロ基地局１２１及び１２２は、例えば、マイクロセル（ｍｉｃｒｏ  ｃｅｌｌ）、ピコセル（ｐｉｃｏ  ｃｅｌｌ）、フェムトセル（ｆｅｍｔｏ  ｃｅｌｌ）、ホーム（ｈｏｍｅ）ｅＮＢ（ＨｅＮＢ）、中継機（ｒｅｌａｙ）などと呼ぶこともできる。マイクロ基地局１２１及び１２２は、マクロ基地局１１０の小型バージョンであって、マクロ基地局の機能を殆ど行いながら独立して作動でき、かつ、マクロ基地局がカバーする領域内に設置（ｏｖｅｒｌａｙ）されたり、マクロ基地局がカバーできない陰影地域に設置（ｎｏｎ−ｏｖｅｒｌａｙ）されたりできる類型の基地局である。マイクロ基地局１２１及び１２２は、マクロ基地局１１０に比べて狭いカバレッジ及び低い伝送電力を有し、相対的に少ない個数の端末を収容することができる。
【０００５】
端末１３１は、マクロ基地局１１０から直接サービングされてもよく（以下、マクロ−端末という。）、端末１３２は、マイクロ基地局１２１からサービングされてもよい（以下、マイクロ−端末という。）。場合によっては、マイクロ基地局１２１のカバレッジ内に存在する端末１３２が、マクロ基地局１１０からサービングされることもある。
【０００６】
端末からのアクセスを制限するか否かによって、マイクロ基地局を２タイプに分類することができる。その第一はＣＳＧ（Ｃｌｏｓｅｄ  Ｓｕｂｓｃｒｉｂｅｒ  Ｇｒｏｕｐ）マイクロ基地局であり、第二はＯＡ（Ｏｐｅｎ  Ａｃｃｅｓｓ）またはＯＳＣ（Ｏｐｅｎ  Ｓｕｂｓｃｒｉｂｅｒ  Ｇｒｏｕｐ）マイクロ基地局である。ＣＳＧマイクロ基地局は、許可された特定端末のみをサービングでき、ＯＳＧマイクロ基地局は、別のアクセス制限無しで全ての端末をサービングすることができる。
【発明の概要】
【発明が解決しようとする課題】
【０００７】
前述の異種ネットワークにおいて、マクロ基地局によりサービングされる端末がマイクロ基地局に隣接している場合に、マイクロ基地局からの強いダウンリンク信号によって、マクロ端末が受信するマクロ基地局からのダウンリンク信号に干渉が起こることがある。または、マイクロ基地局によりサービングされる端末が、マクロ基地局からのダウンリンク信号に干渉を受けることもある。または、マクロ基地局によりサービングされる端末からのアップリンク信号が、当該端末に隣接しているマイクロ基地局に強い干渉を与えることもある。
【０００８】
本発明は、基地局が端末に信号を伝送する時に、他の基地局への干渉を最小化する方法及び装置を提供することを技術的課題とする。
【０００９】
本発明で達成しようとする技術的課題は、以上に言及している技術的課題に制限されるものではなく、言及していない別の技術的課題は、下の記載から、本発明の属する技術の分野における通常の知識を有する者には明確に理解されるであろう。
【課題を解決するための手段】
【００１０】
上記の技術的課題を解決するために、本発明の一実施例に係る、セル間干渉を低減する方法は、第１のセルが、前記第１のセルのダウンリンクサブフレームにおいて第２のセルのダウンリンクサブフレームのセル−特定参照信号（ＣＲＳ）伝送リソース要素と重なるリソース要素を決定すること、前記第１のセルが、前記第１のセルのダウンリンクサブフレームにおいて前記第２のセルのダウンリンクサブフレームのＣＲＳ伝送リソース要素と重なるリソース要素のうちの一部を、パンクチャリングされるリソース要素と決定すること、前記第１のセルが、前記パンクチャリングされるリソース要素を除く、前記第１のセルのダウンリンクサブフレームに、一つ以上のダウンリンクチャネルをマッピングすること、前記第１のセルが前記第１のセルのダウンリンクサブフレームにマッピングされた一つ以上のダウンリンクチャネルを端末に伝送すること、を含むことができる。
【００１１】
上記の技術的課題を解決するために、本発明の他の実施例に係る、セル間干渉を低減する装置は、端末からアップリンク信号を受信する受信モジュールと、前記端末にダウンリンク信号を伝送する伝送モジュールと、前記受信モジュール及び前記伝送モジュールを介した第１のセルの信号送受信を制御するプロセッサと、を備え、前記プロセッサは、前記第１のセルのダウンリンクサブフレームにおいて第２のセルのダウンリンクサブフレームのセル−特定参照信号（ＣＲＳ）伝送リソース要素と重なるリソース要素を決定し、前記第１のセルのダウンリンクサブフレームにおいて前記第２のセルのダウンリンクサブフレームのＣＲＳ伝送リソース要素と重なるリソース要素のうちの一部を、パンクチャリングされるリソース要素と決定し、前記パンクチャリングされるリソース要素を除く、前記第１のセルのダウンリンクサブフレームに、一つ以上のダウンリンクチャネルをマッピングし、前記第１のセルのダウンリンクサブフレームにマッピングされた一つ以上のダウンリンクチャネルを、前記伝送モジュールを介して前記端末に伝送するように構成されるようにすることができる。
【００１２】
上記本発明に係る実施例において、以下の事項を共通に適用することができる。
【００１３】
前記パンクチャリングされるリソース要素は、前記第１のセルのダウンリンクサブフレームにおいて前記第２のセルのダウンリンクサブフレームのＣＲＳ伝送リソース要素と重なるリソース要素のうち、前記第１のセルのダウンリンクサブフレームの制御領域及びデータ領域の一つ以上に存在するリソース要素でよい。
【００１４】
前記パンクチャリングされるリソース要素は、前記第１のセルのダウンリンクサブフレームにおいて前記第２のセルのダウンリンクサブフレームのＣＲＳ伝送リソース要素と重なるリソース要素のうち、前記第２のセルのＣＲＳ伝送アンテナポートの一部アンテナポートに対応するリソース要素でよい。
【００１５】
前記パンクチャリングされるリソース要素は、前記第１のセルのダウンリンクサブフレーム別に異なるように決定されるとよい。
【００１６】
前記パンクチャリングされるリソース要素は、前記第１のセルのダウンリンクサブフレームにおいて第２のセルのダウンリンクサブフレームにおける前記第２のセルの物理ダウンリンク制御チャネル（ＰＤＣＣＨ）伝送領域と重なるリソース要素をさらに含むことができる。
【００１７】
さらに、前記パンクチャリングされるリソース要素の位置を示す情報を前記端末に伝送することができる。
【００１８】
前記第１のセルのダウンリンクサブフレームと前記第２のセルのダウンリンクサブフレームとの境界が、あらかじめ定められたＯＦＤＭシンボルだけシフトしてもよい。
【００１９】
前記第２のセルのダウンリンクサブフレームは、ＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）サブフレームと設定されてもよく、前記第２のセルのダウンリンクサブフレームは、ＣＲＳ伝送リソース要素以外の残りリソース要素はヌル（ｎｕｌｌ）リソース要素と設定されてもよい。
【００２０】
前記第１のセルのダウンリンクサブフレームで復調参照信号（ＤＭＲＳ）を伝送することができ、前記ＤＭＲＳは、一般サブフレームのためのＤＭＲＳパターン、ＤｗＰＴＳ（Ｄｏｗｎｌｉｎｋ  Ｐｉｌｏｔ  Ｔｉｍｅ  Ｓｌｏｔ）長１１または１２のためのＤＭＲＳパターン、及びＤｗＰＴＳ長９または１０のためのＤＭＲＳパターンのうち、前記パンクチャリングされるリソース要素と重ならないＤＭＲＳパターンに従って伝送されるとよい。
【００２１】
本発明について前述した一般的な説明と後述する詳細な説明は例示的なもので、請求項に記載の発明についてのさらなる説明のためのものである。
（項目１）
セル間干渉を低減する方法であって、
第１のセルが、前記第１のセルのダウンリンクサブフレームにおいて第２のセルのダウンリンクサブフレームのセル−特定参照信号（ＣＲＳ）伝送リソース要素と重なるリソース要素を決定し、
前記第１のセルが、前記第１のセルのダウンリンクサブフレームにおいて前記第２のセルのダウンリンクサブフレームのＣＲＳ伝送リソース要素と重なるリソース要素のうちの一部を、パンクチャリングされるリソース要素と決定し、
前記第１のセルが、前記パンクチャリングされるリソース要素を除く、前記第１のセルのダウンリンクサブフレームに、一つ以上のダウンリンクチャネルをマッピングし、
前記第１のセルが、前記第１のセルのダウンリンクサブフレームにマッピングされた一つ以上のダウンリンクチャネルを端末に伝送すること、
を含む、セル間干渉低減方法。
（項目２）
前記パンクチャリングされるリソース要素は、
前記第１のセルのダウンリンクサブフレームにおいて前記第２のセルのダウンリンクサブフレームのＣＲＳ伝送リソース要素と重なるリソース要素のうち、前記第１のセルのダウンリンクサブフレームの制御領域及びデータ領域の一つ以上に存在するリソース要素である、項目１に記載のセル間干渉低減方法。
（項目３）
前記パンクチャリングされるリソース要素は、
前記第１のセルのダウンリンクサブフレームにおいて前記第２のセルのダウンリンクサブフレームのＣＲＳ伝送リソース要素と重なるリソース要素のうち、前記第２のセルのＣＲＳ伝送アンテナポートの一部アンテナポートに対応するリソース要素である、項目１に記載のセル間干渉低減方法。
（項目４）
前記パンクチャリングされるリソース要素は、
前記第１のセルのダウンリンクサブフレーム別に異なるように決定される、項目１に記載のセル間干渉低減方法。
（項目５）
前記パンクチャリングされるリソース要素は、
前記第１のセルのダウンリンクサブフレームにおいて第２のセルのダウンリンクサブフレームにおける前記第２のセルの物理ダウンリンク制御チャネル（ＰＤＣＣＨ）伝送領域と重なるリソース要素をさらに含む、項目１に記載のセル間干渉低減方法。
（項目６）
前記パンクチャリングされるリソース要素の位置を示す情報を前記端末に伝送することをさらに含む、項目１に記載のセル間干渉低減方法。
（項目７）
前記第１のセルのダウンリンクサブフレームと前記第２のセルのダウンリンクサブフレームとの境界が、あらかじめ定められたＯＦＤＭシンボルだけシフトする、項目１に記載のセル間干渉低減方法。
（項目８）
前記第２のセルのダウンリンクサブフレームは、ＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）サブフレームと設定される、項目１に記載のセル間干渉低減方法。
（項目９）
前記第２のセルのダウンリンクサブフレームは、ＣＲＳ伝送リソース要素以外の残りリソース要素はヌル（ｎｕｌｌ）リソース要素と設定される、項目８に記載のセル間干渉低減方法。
（項目１０）
前記第１のセルのダウンリンクサブフレームで復調参照信号（ＤＭＲＳ）を伝送することをさらに含み、
前記ＤＭＲＳは、一般サブフレームのためのＤＭＲＳパターン、ＤｗＰＴＳ（Ｄｏｗｎｌｉｎｋ  Ｐｉｌｏｔ  Ｔｉｍｅ  Ｓｌｏｔ）長１１または１２のためのＤＭＲＳパターン、及びＤｗＰＴＳ長９または１０のためのＤＭＲＳパターンのうち、前記パンクチャリングされるリソース要素と重ならないＤＭＲＳパターンに従って伝送される、項目１に記載のセル間干渉低減方法。
（項目１１）
セル間干渉を低減する装置であって、
端末からアップリンク信号を受信する受信モジュールと、
前記端末にダウンリンク信号を伝送する伝送モジュールと、
前記受信モジュール及び前記伝送モジュールを介した第１のセルの信号送受信を制御するプロセッサと、を備え、
前記プロセッサは、
前記第１のセルのダウンリンクサブフレームにおいて第２のセルのダウンリンクサブフレームのセル−特定参照信号（ＣＲＳ）伝送リソース要素と重なるリソース要素を決定し、
前記第１のセルのダウンリンクサブフレームにおいて前記第２のセルのダウンリンクサブフレームのＣＲＳ伝送リソース要素と重なるリソース要素の一部を、パンクチャリングされるリソース要素と決定し、
前記パンクチャリングされるリソース要素を除く、前記第１のセルのダウンリンクサブフレームに、一つ以上のダウンリンクチャネルをマッピングし、
前記第１のセルのダウンリンクサブフレームにマッピングされた一つ以上のダウンリンクチャネルを、前記伝送モジュールを介して前記端末に伝送するように構成される、セル間干渉低減装置。
【発明の効果】
【００２２】
本発明によれば、基地局が端末に信号を伝送する際に、他の基地局への干渉を最小化する方法及び装置を提供することが可能である。
【００２３】
本発明から得られる効果は、以上に言及した効果に制限されず、言及していない別の効果は、下の記載から、本発明の属する技術の分野における通常の知識を有する者には明確に理解されるであろう。
【図面の簡単な説明】
【００２４】
本明細書に添付している図面は、本発明に関する理解を提供するためのもので、本発明の様々な実施の形態を示し、明細書の記載と共に本発明の原理を説明するためのものである。
【図１】異種ネットワーク無線通信システムを示す図である。
【図２】ダウンリンク無線フレームの構造を示す図である。
【図３】ダウンリンクスロットにおけるリソースグリッド（ｒｅｓｏｕｒｃｅ  ｇｒｉｄ）を示す図である。
【図４】ダウンリンクサブフレームの構造を示す図である。
【図５】アップリンクサブフレームの構造を示す図である。
【図６】多重アンテナを有する無線通信システムの構成図である。
【図７】既存の３ＧＰＰ  ＬＴＥシステムで定義するＣＲＳ及びＤＲＳパターンを示す図である。
【図８】ＳＲＳシンボルを含むアップリンクサブフレーム構造を示す図である。
【図９】ＦＤＤモード中継機の送受信部機能の具現例を示す図である。
【図１０】中継機から端末への伝送及び基地局から中継機へのダウンリンク伝送を説明するための図である。
【図１１】本発明に係るＣＲＳ伝送パターンの一例を示す図である。
【図１２】本発明に係るＣＲＳ伝送パターンの一例を示す図である。
【図１３】本発明によってダウンリンクサブフレームにおいてパンクチャリングされるリソース要素を例示する図である。
【図１４】本発明によってダウンリンクサブフレームにおいてパンクチャリングされるリソース要素を例示する図である。
【図１５】本発明によって第１及び第２の基地局のサブフレーム境界がシフトされたことを示す図である。
【図１６】本発明によってダウンリンクサブフレームにおいてパンクチャリングされるリソース要素を例示する図である。
【図１７】本発明によってダウンリンクサブフレームにおいてパンクチャリングされるリソース要素を例示する図である。
【図１８】本発明によってダウンリンクサブフレームにおいてパンクチャリングされるリソース要素を例示する図である。
【図１９】本発明によってダウンリンクサブフレームにおいてパンクチャリングされるリソース要素を例示する図である。
【図２０】一般サブフレームのためのＤＭＲＳパターンを示す図である。
【図２１】ＤｗＰＴＳのためなＤＭＲＳパターンを示す図である。
【図２２】本発明によってダウンリンクサブフレームにおいてパンクチャリングされるリソース要素を例示する図である。
【図２３】本発明によってダウンリンクサブフレームにおいてパンクチャリングされるリソース要素を例示する図である。
【図２４】本発明に係る例示的なサブフレームシフト方式を示す図である。
【図２５】本発明に係る例示的なサブフレームシフト方式を示す図である。
【図２６】本発明によってダウンリンクサブフレームにおいてパンクチャリングされるリソース要素を例示する図である。
【図２７】本発明に係るセル間干渉低減動作を説明するための図である。
【図２８】本発明の一実施例に係るセル間干渉低減方法を示すフローチャートである。
【図２９】本発明に係る基地局装置２９１０の好適な実施例の構成を示す図である。
【発明を実施するための形態】
【００２５】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００２６】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００２７】
すなわち、基地局を含む多数のネットワークノード（ｎｅｔｗｏｒｋ  ｎｏｄｅｓ）からなるネットワークにおいて、端末との通信のために行われる種々の動作は、基地局、または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。中継機は、リレーノード（Ｒｅｌａｙ  Ｎｏｄｅ、ＲＮ）、リレーステーション（Ｒｅｌａｙ  Ｓｔａｔｉｏｎ、ＲＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００２８】
以下の説明で使われる特定用語は、本発明の理解を助けるために提供されたもので、これらの特定用語の使用は、本発明の技術的思想から逸脱することなく他の形態に変更可能である。
【００２９】
場合によっては、本発明の概念が曖昧になることを避けるために、公知の構造及び装置は省略されたり、各構造及び装置の核心機能を中心にしたブロック図の形式で示されることがある。また、本明細書全体を通じて同一の構成要素には同一の図面符号を付して説明する。
【００３０】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることかできる。すなわち、本発明の実施例において本発明の技術的思想を明確にするために説明を省いた段階または部分は、上記の標準文書でサーポートすることができる。なお、本文書で開示している全ての用語は、上記の標準文書により説明することができる。
【００３１】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では、３ＧＰＰ  ＬＴＥ及びＬＴＥ−Ａシステムを中心に説明するが、本発明の技術的思想はこれに制限されない。
【００３２】
図２を参照してダウンリンク無線フレームの構造について説明する。
【００３３】
セルラーＯＦＤＭ無線パケット通信システムにおいて、アップリンク／ダウンリンクデータパケット伝送はサブフレーム（Ｓｕｂｆｒａｍｅ）単位に行われ、１サブフレームは、多数のＯＦＤＭシンボルを含む一定の時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３４】
図２（ａ）は、タイプ１無線フレームの構造を示す図である。ダウンリンク無線フレーム（ｒａｄｉｏ  ｆｒａｍｅ）は、１０個のサブフレーム（ｓｕｂｆｒａｍｅ）で構成され、１サブフレームは時間領域（ｔｉｍｅ  ｄｏｍａｉｎ）で２個のスロット（ｓｌｏｔ）で構成される。１サブフレームが伝送されるのにかかる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓであり、１スロットの長さは０．５ｍｓでよい。１スロットは、時間領域で複数のＯＦＤＭシンボルを有し、周波数領域で多数のリソースブロック（Ｒｅｓｏｕｒｃｅ  Ｂｌｏｃｋ；ＲＢ）を有する。３ＧＰＰ  ＬＴＥシステムでは、ダウンリンクでＯＦＤＭＡを用いるので、ＯＦＤＭシンボルが一つのシンボル区間を示す。ＯＦＤＭシンボルをＳＣ−ＦＤＭＡシンボルまたはシンボル区間と呼ぶこともできる。リソースブロック（Ｒｅｓｏｕｒｃｅ  Ｂｌｏｃｋ；ＲＢ）は、リソース割当単位であり、１スロットで複数個の連続した副搬送波（ｓｕｂｃａｒｒｉｅｒ）を有することができる。
【００３５】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張されたＣＰ（ｅｘｔｅｎｄｅｄ  ＣＰ）と一般ＣＰ（ｎｏｒｍａｌ  ＣＰ）がある。例えば、ＯＦＤＭシンボルが一般ＣＰにより構成された場合に、１スロットに含まれるＯＦＤＭシンボルの数は７個でよい。ＯＦＤＭシンボルが、拡張されたＣＰにより構成された場合に、１  ＯＦＤＭシンボルの長さが増加することから、１スロットに含まれるＯＦＤＭシンボルの数は、一般ＣＰの場合に比べて少ない。拡張されたＣＰの場合に、例えば、１スロットに含まれるＯＦＤＭシンボルの数は６個でよい。端末が速い速度で移動するなどしてチャネル状態が不安定な場合に、シンボル間干渉をより減らすために、拡張されたＣＰを用いることができる。
【００３６】
一般ＣＰが用いられる場合に、１スロットは７個のＯＦＤＭシンボルを有するので、１サブフレームは１４個のＯＦＤＭシンボルを有する。この場合、各サブフレームにおける先頭の２個または３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てられうる。
【００３７】
図２（ｂ）は、タイプ２無線フレームの構造を示す図である。タイプ２無線フレームは、２個のハーフフレーム（ｈａｌｆ  ｆｒａｍｅ）で構成され、各ハーフフレームは、５個のサブフレームとＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）、ＵｐＰＴＳ（Ｕｐｌｉｎｋ  Ｐｉｌｏｔ  Ｔｉｍｅ  Ｓｌｏｔ）で構成され、１サブフレームは２個のスロットで構成される。ＤｗＰＴＳは、端末での初期セル探索、同期化またはチャネル推定に用いられる。ＵｐＰＴＳは、基地局でのチャネル推定、端末の上り伝送同期を合わせるのに用いられる。保護区間は、アップリンクとダウンリンクとの間にダウンリンク信号の多重経路遅延によりアップリンクで生じる干渉を除去するための区間である。一方、無線フレームのタイプを問わず１個のサブフレームは２個のスロットで構成される。
【００３８】
無線フレームの構造は例示に過ぎず、無線フレームに含まれるサブフレームの数またはサブフレームに含まれるスロットの数、スロットに含まれるシンボルの数は、様々に変更されてもよい。
【００３９】
図３は、ダウンリンクスロットにおけるリソースグリッド（ｒｅｓｏｕｒｃｅ  ｇｒｉｄ）を示す図である。１ダウンリンクスロットは、時間領域で７個のＯＦＤＭシンボルを含み、１リソースブロック（ＲＢ）は、周波数領域で１２個の副搬送波を含むとしているが、本発明はこれに制限されるものではない。例えば、一般ＣＰ（Ｃｙｃｌｉｃ  Ｐｒｅｆｉｘ）の場合には、１スロットが７  ＯＦＤＭシンボルを含むが、拡張されたＣＰ（ｅｘｔｅｎｄｅｄ−ＣＰ）の場合には、１スロットが６  ＯＦＤＭシンボルを含むことができる。リソースグリッド上のそれぞれの要素をリソース要素（ｒｅｓｏｕｒｃｅ  ｅｌｅｍｅｎｔ）という。１リソースブロックは１２×７リソース要素を含む。ダウンリンクスロットに含まれるリソースブロックのＮＤＬの個数は、ダウンリンク伝送帯域幅による。アップリンクスロットの構造はダウンリンクスロットの構造と同一でよい。
【００４０】
図４は、ダウンリンクサブフレームの構造を示す図である。１サブフレーム内において、１番目のスロットの先頭の最大３個のＯＦＤＭシンボルは、制御チャネルが割り当てられる制御領域に該当し、残りのＯＦＤＭシンボルは、物理ダウンリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムで用いられるダウンリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの１番目のＯＦＤＭシンボルで伝送され、サブフレーム内の制御チャネル伝送に用いられるＯＦＤＭシンボルの個数に関する情報を含む。ＰＨＩＣＨは、アップリンク伝送の応答としてＨＡＲＱ  ＡＣＫ／ＮＡＣＫ信号を含む。ＰＤＣＣＨを通じて伝送される制御情報をダウンリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、アップリンクまたはダウンリンクスケジューリング情報を含んだり、任意の端末グループに対するアップリンク伝送電力制御命令を含む。ＰＤＣＣＨは、ダウンリンク共有チャネル（ＤＬ−ＳＣＨ）のリソース割当及び伝送フォーマット、アップリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨで伝送されるランダムアクセス応答（Ｒａｎｄｏｍ  Ａｃｃｅｓｓ  Ｒｅｓｐｏｎｓｅ）のような上位層制御メッセージのリソース割当、任意の端末グループ中の個別端末に対する伝送電力制御命令のセット、伝送電力制御情報、ＶｏＩＰ（Ｖｏｉｃｅ  ｏｖｅｒ  ＩＰ）の活性化などを含むことができる。複数のＰＤＣＣＨが制御領域で伝送されることがあり、端末は、複数のＰＤＣＣＨをモニタリングすることができる。ＰＤＣＣＨは、１以上の連続する制御チャネル要素（Ｃｏｎｔｒｏｌ  Ｃｈａｎｎｅｌ  Ｅｌｅｍｅｎｔ；ＣＣＥ）の組み合わせ（ａｇｇｒｅｇａｔｉｏｎ）で伝送される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマット及び利用可能なビット数は、ＣＣＥの個数とＣＣＥにより提供されるコーディングレート間の相関関係によって決定される。基地局は、端末に伝送されるＤＣＩに基づいてＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者または用途によって、無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子���マスキングされる。ＰＤＣＣＨが特定端末に対するものであれば、端末のｃｅｌｌ−ＲＮＴＩ（Ｃ−ＲＮＴＩ）をＣＲＣにマスキングすることができる。または、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスキングすることができる。ＰＤＣＣＨがシステム情報（特に、システム情報ブロック（ＳＩＢ））に対するものであれば、システム情報識別子及びシステム情報ＲＮＴＩ（ＳＩ−ＲＮＴＩ）をＣＲＣにマスキングすることができる。端末のランダムアクセスプリアンブル伝送に対する応答であるランダムアクセス応答を表すために、ランダムアクセス−ＲＮＴＩ（ＲＡ−ＲＮＴＩ）をＣＲＣにマスキングすることができる。
【００４１】
図５は、アップリンクサブフレームの構造を示す図である。アップリンクサブフレームは、周波数領域で制御領域とデータ領域とに区別することができる。制御領域には、アップリンク制御情報を含む物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザーデータを含む物理アップリンク共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末は、ＰＵＣＣＨとＰＵＳＣＨを同時に伝送しない。一つの端末に対するＰＵＣＣＨは、サブフレームでリソースブロック対（ＲＢ  ｐａｉｒ）に割り当てられる。リソースブロック対に属するリソースブロックは、２スロットに対して異なる副搬送波を占める。これを、ＰＵＣＣＨに割り当てられるリソースブロック対がスロットの境界で周波数−ホッピング（ｆｒｅｑｕｅｎｃｙ−ｈｏｐｐｅｄ）するということができる。
【００４２】
（多重アンテナ（ＭＩＭＯ）システムのモデリング）
図６は、多重アンテナを有する無線通信システムの構成図である。
【００４３】
図６（ａ）に示すように、送信アンテナの数をＮＴ個、受信アンテナの数をＮＲと増やすと、送信機または受信機のいずれかでのみ複数のアンテナを用いる場合とは違い、アンテナ数に比例して理論的なチャネル伝送容量が増加する。そのため、伝送レートを向上させ、周波数効率を画期的に向上させることができる。チャネル伝送容量が増加することによって、伝送レートは、理論的に、単一アンテナ使用時における最大伝送レート（Ｒｏ）にレート増加率（Ｒｉ）がかけられた分だけ増加することが可能になる。
【００４４】
【数１】
0005567153.tif 000002
例えば、４個の送信アンテナと４個の受信アンテナを用いるＭＩＭＯ通信システムでは、単一アンテナシステムに比べて理論上、４倍の伝送レートを獲得できる。多重アンテナシステムの理論的容量増加が９０年代半ばに証明されて以来、これを実質的なデータ伝送率の向上へと導くための種々の技術が現在まで活発に研究されている。それらのいくつかの技術は既に３世代移動通信と次世代無線ＬＡＮなどの様々な無線通信の標準に反映されている。
【００４５】
現在までの多重アンテナ関連研究動向をみると、様々なチャネル環境及び多重接続環境における多重アンテナ通信容量計算などと関連した情報理論側面の研究、多重アンテナシステムの無線チャネル測定及び模型導出の研究、伝送信頼度の向上及び伝送率の向上のための時空間信号処理技術の研究などを含め、様々な観点で活発に研究が進行されている。
【００４６】
多重アンテナシステムにおける通信方法を、数学的モデリングを用いてより具体的に説明する。このシステムにはＮＴ個の送信アンテナとＮＲ個の受信アンテナが存在すると仮定する。
【００４７】
送信信号について説明すると、ＮＴ個の送信アンテナがある場合に、伝送可能な最大情報はＮＴ個である。伝送情報は下記のように表現できる。
【００４８】
【数２】
0005567153.tif 000003
それぞれの伝送情報
【００４９】
【化１】
0005567153.tif 000004
は、伝送電力が異なることがある。それぞれの伝送電力を
【００５０】
【化２】
0005567153.tif 000005
とすれば、伝送電力の調整された伝送情報は、下記のように表現できる。
【００５１】
【数３】
0005567153.tif 000006
また、
【００５２】
【化３】
0005567153.tif 000007
は、伝送電力の対角行列
【００５３】
【化４】
0005567153.tif 000008
を用いて下記のように表現できる。
【００５４】
【数４】
0005567153.tif 000009
伝送電力の調整された情報ベクトル
【００５５】
【化５】
0005567153.tif 000010
に重み行列
【００５６】
【化６】
0005567153.tif 000011
が適用されて、実際に伝送されるＮＴ個の送信信号
【００５７】
【化７】
0005567153.tif 000012
が構成される場合を考慮してみる。重み行列
【００５８】
【化８】
0005567153.tif 000013
は、伝送情報を伝送チャネル状況などに応じて各アンテナに適切に分配する役割を果たす。
【００５９】
【化９】
0005567153.tif 000014
は、ベクトル
【００６０】
【化１０】
0005567153.tif 000015
を用いて下記のように表現できる。
【００６１】
【数５】
0005567153.tif 000016
ここで、
【００６２】
【化１１】
0005567153.tif 000017
は、ｉ番目の送信アンテナとｊ番目の情報間の重み値を意味する。
【００６３】
【化１２】
0005567153.tif 000018
は、プリコーディング行列とも呼ばれる。
【００６４】
受信信号については、ＮＲ個の受信アンテナがある場合に、各アンテナの受信信号
【００６５】
【化１３】
0005567153.tif 000019
はベクトルで下記のように表現できる。
【００６６】
【数６】
0005567153.tif 000020
多重アンテナ無線通信システムでチャネルをモデリングする場合に、チャネルは送受信アンテナインデックスによって区別可能にすることができる。送信アンテナｊから受信アンテナｉを経るチャネルを
【００６７】
【化１４】
0005567153.tif 000021
と表示するとする。
【００６８】
【化１５】
0005567153.tif 000022
において、インデックスの順序は、受信アンテナインデックスが先で、送信アンテナのインデックスが後であることに留意されたい。
【００６９】
一方、図６（ｂ）には、ＮＴ個の送信アンテナから受信アンテナｉへのチャネルを示す。このチャネルをまとめてベクトル及び行列形態で表示することができる。図６（ｂ）で、総ＮＴ個の送信アンテナから受信アンテナｉに到着するチャネルは、下記のように表すことができる。
【００７０】
【数７】
0005567153.tif 000023
したがって、ＮＴ個の送信アンテナからＮＲ個の受信アンテナに到着する全てのチャネルは、下記のように表現できる。
【００７１】
【数８】
0005567153.tif 000024
実際チャネルにはチャネル行列
【００７２】
【化１６】
0005567153.tif 000025
を経た後に、白色雑音（ＡＷＧＮ；Ａｄｄｉｔｉｖｅ  Ｗｈｉｔｅ  Ｇａｕｓｓｉａｎ  Ｎｏｉｓｅ）が加えられる。ＮＲ個の受信アンテナのそれぞれに加えられる白色雑音  
【００７３】
【化１７】
0005567153.tif 000026
は、下記のように表現できる。
【００７４】
【数９】
0005567153.tif 000027
上述した数式モデリングを通じて受信信号は下記のように表現できる。
【００７５】
【数１０】
0005567153.tif 000028
一方、チャネル状態を表すチャネル行列
【００７６】
【化１８】
0005567153.tif 000029
における行と列の数は、送受信アンテナの数によって決定される。チャネル行列
【００７７】
【化１９】
0005567153.tif 000030
において、行の数は受信アンテナの数ＮＲと同じであり、列の数は送信アンテナの数ＮＴと同じである。すなわち、チャネル行列
【００７８】
【化２０】
0005567153.tif 000031
は、ＮＲ×ＮＴとなる。
【００７９】
行列のランク（ｒａｎｋ）は、互いに独立した（ｉｎｄｅｐｅｎｄｅｎｔ）行または列の個数のうちの最小個数と定義される。そのため、行列のランクは、行または列の個数よりも大きくなることはない。チャネル行列
【００８０】
【化２１】
0005567153.tif 000032
のランク
【００８１】
【化２２】
0005567153.tif 000033
は、下記のように制限される。
【００８２】
【数１１】
0005567153.tif 000034
ランクの他の定義は、行列を固有値分解（Ｅｉｇｅｎ  ｖａｌｕｅ  ｄｅｃｏｍｐｏｓｉｔｉｏｎ）した時に、０以外の固有値の個数と定義できる。同様に、ランクの他の定義は、特異値分解（ｓｉｎｇｕｌａｒ  ｖａｌｕｅ  ｄｅｃｏｍｐｏｓｉｔｉｏｎ）した時に、０以外の特異値の個数と定義できる。したがって、チャネル行列においてランクの物理的な意味は、与えられたチャネルで互いに異なる情報を送ることができる最大数といえる。
【００８３】
（参照信号（Ｒｅｆｅｒｅｎｃｅ  Ｓｉｇｎａｌ；ＲＳ））
無線通信システムでパケットを伝送する時に、伝送されるパケットは無線チャネルを通じて伝送されることから、伝送過程で信号の歪が発生することがある。歪んだ信号を受信側で正しく受信するためには、チャネル情報を用いて受信信号における歪を補正しなければならない。チャネル情報を見つけるために、送信側と受信側の両方とも知っている信号を伝送し、該信号がチャネルを通じて受信される時における歪の度合を用いてチャネル情報を見つける方法を主に用いる。この信号をパイロット信号（Ｐｉｌｏｔ  Ｓｉｇｎａｌ）または参照信号（Ｒｅｆｅｒｅｎｃｅ  Ｓｉｇｎａｌ）という。
【００８４】
多重アンテナを用いてデータを送受信する場合には、正しい信号を受信するためには、各送信アンテナと受信アンテナ間のチャネル状況を知る必要がある。そのため、各送信アンテナ別に参照信号が存在しなければならない。
【００８５】
ダウンリンク参照信号は、セル内の全ての端末が共有する共用参照信号（Ｃｏｍｍｏｎ  Ｒｅｆｅｒｅｎｃｅ  Ｓｉｇｎａｌ；ＣＲＳ）と特定端末のための専用参照信号（Ｄｅｄｉｃａｔｅｄ  Ｒｅｆｅｒｅｎｃｅ  Ｓｉｇｎａｌ；ＤＲＳ）とがある。これらの参照信号によりチャネル推定及び復調のための情報を提供することができる。
【００８６】
受信側（端末）は、ＣＲＳからチャネルの状態を推定し、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／またはＲＩ（Ｒａｎｋ  Ｉｎｄｉｃａｔｏｒ）のようなチャネル品質に関連した指示子を、送信側（基地局）にフィードバックすることができる。ＣＲＳは、セル−特定（ｃｅｌｌ−ｓｐｅｃｉｆｉｃ）参照信号と呼ぶこともできる。または、ＣＱＩ／ＰＭＩ／ＲＩのようなチャネル状態情報（Ｃｈａｎｎｅｌ  Ｓｔａｔｅ  Ｉｎｆｏｒｍａｔｉｏｎ；ＣＳＩ）のフィードバックに関連したＲＳを、ＣＳＩ−ＲＳと別途定義することもできる。
【００８７】
一方、ＤＲＳは、ＰＤＳＣＨ上のデータの復調が必要な場合に、該当のＲＥを通じて伝送することができる。端末は、上位層からＤＲＳの存在するか否かが指示され、該当のＰＤＳＣＨがマッピングされている場合にのみ、ＤＲＳが有効であるという指示を受けることができる。ＤＲＳを、端末−特定（ＵＥ−ｓｐｅｃｉｆｉｃ）参照信号または復調用参照信号（Ｄｅｍｏｄｕｌａｔｉｏｎ  ＲｅｆｅｒｅｎｃｅＳｉｇｎａｌ；ＤＭＲＳ）と呼ぶこともできる。
【００８８】
図７は、既存の３ＧＰＰ  ＬＴＥシステム（例えば、リリース−８）で定義するＣＲＳ及びＤＲＳがダウンリンクリソースブロック上にマッピングされるパターンを示す図である。参照信号のマッピングされる単位としてのダウンリンクリソースブロックは、時間上で１サブフレーム×周波数上で１２副搬送波の単位と表現することができる。すなわち、１リソースブロックは、時間上で、一般ＣＰの場合（図７（ａ））には１４個のＯＦＤＭシンボル長、拡張されたＣＰの場合（図７（ｂ））には１２個のＯＦＤＭシンボル長を有する。
【００８９】
図７には、基地局が４個の伝送アンテナを支援するシステムにおいて参照信号のリソースブロックでの位置を示している。図７で、「０」、「１」、「２」及び「３」で表示されたリソース要素（ＲＥ）は、それぞれ、アンテナポートインデックス０、１、２及び３に対するＣＲＳの位置を示す。一方、図７で、「Ｄ」で表示されたリソース要素は、ＤＲＳの位置を示す。
【００９０】
次に、ＣＲＳについて具体的に説明する。
【００９１】
ＣＲＳは、物理アンテナ端のチャネルを推定するために用いられ、セル内における全端末（ＵＥ）が共通に受信できる参照信号であり、全帯域にわたって分布する。ＣＲＳは、チャネル状態情報（ＣＳＩ）獲得及びデータ復調のために用いることができる。
【００９２】
ＣＲＳは、送信側（基地局）のアンテナ構成によって様々な形態と定義される。３ＧＰＰ  ＬＴＥ（例えば、リリース−８）システムは、様々なアンテナ構成（Ａｎｔｅｎｎａ  ｃｏｎｆｉｇｕｒａｔｉｏｎ）を支援し、ダウンリンク信号送信側（基地局）は、単一アンテナ、２伝送アンテナ、４伝送アンテナなどの３種類のアンテナ構成を有する。基地局が単一アンテナ伝送をする場合には、単一アンテナポートのための参照信号が配置される。基地局が２アンテナ伝送をする場合には、２個のアンテナポートのための参照信号が時間分割多重化（Ｔｉｍｅ  Ｄｉｖｉｓｉｏｎ  Ｍｕｌｔｉｐｌｅｘｉｎｇ）及び／または周波数分割多重化（Ｆｒｅｑｕｅｎｃｙ  Ｄｉｖｉｓｉｏｎ  Ｍｕｌｔｉｐｌｅｘｉｎｇ）方式で配置される。すなわち、２個のアンテナポートのための参照信号が、異なる時間リソース及び／または異なる周波数リソースに配置され、互いに区別可能となる。また、基地局が４アンテナ伝送をする場合には、４個のアンテナポートのための参照信号がＴＤＭ／ＦＤＭ方式で配置される。ＣＲＳを用いてダウンリンク信号受信側（端末）で推定されたチャネル情報は、単一アンテナ伝送（Ｓｉｎｇｌｅ  Ａｎｔｅｎｎａ  Ｔｒａｎｓｍｉｓｓｉｏｎ）、送信ダイバーシティ（Ｔｒａｎｓｍｉｔ  ｄｉｖｅｒｓｉｔｙ）、閉ループ空間多重化（Ｃｌｏｓｅｄ−ｌｏｏｐ  Ｓｐａｔｉａｌ  ｍｕｌｔｉｐｌｅｘｉｎｇ）、開ループ空間多重化（Ｏｐｅｎ−ｌｏｏｐ  Ｓｐａｔｉａｌ  ｍｕｌｔｉｐｌｅｘｉｎｇ）、多重−ユーザ（Ｍｕｌｔｉ−Ｕｓｅｒ）ＭＩＭＯ（ＭＵ−ＭＩＭＯ）などの伝送手法で送信されたデータの復調のために用いることができる。
【００９３】
多重アンテナを支援する場合に、あるアンテナポートで参照信号を伝送する時に、参照信号パターンに従って指定されたリソース要素（ＲＥ）位置に参照信号を伝送し、他のアンテナポートのために指定されたリソース要素（ＲＥ）位置にはいかなる信号も伝送しない。
【００９４】
ＣＲＳがリソースブロック上にマッピングされる規則は、下記の数学式１２に従う。
【００９５】
【数１２】
0005567153.tif 000035
数学式１２で、ｋは副搬送波インデックス、ｌはシンボルインデックス、ｐはアンテナポートインデックスを表す。
【００９６】
【化２３】
0005567153.tif 000036
は、１ダウンリンクスロットのＯＦＤＭシンボルの個数であり、
【００９７】
【化２４】
0005567153.tif 000037
は、ダウンリンクに割り当てられたリソースブロックの個数であり、
【００９８】
【化２５】
0005567153.tif 000038
は、スロットインデックスであり、
【００９９】
【化２６】
0005567153.tif 000039
は、セルＩＤを表す。ｍｏｄは、モジューラ演算を表す。周波数領域で参照信号の位置はＶｓｈｉｆｔ値に依存する。さらにＶｓｈｉｆｔ値はセルＩＤに依存するので、参照信号の位置は、セル別に異なる周波数シフト値を有することとなる。
【０１００】
具体的に、ＣＲＳを用いたチャネル推定性能を高めるために、セル別にＣＲＳの周波数領域上の位置をシフト（ｓｈｉｆｔ）させて異ならせることができる。例えば、参照信号が３副搬送波ごとに位置する場合に、あるセルは３ｋの副搬送波上に、他のセルは３ｋ＋１の副搬送波上に配置されるようにすることができる。一つのアンテナポートの観点で、参照信号は、周波数領域で６ＲＥ間隔（すなわち、６副搬送波間隔）で配置され、他のアンテナポートのための参照信号が配置されるＲＥとは周波数領域で３ＲＥ間隔を維持する。
【０１０１】
また、ＣＲＳに対して電力ブースティング（ｐｏｗｅｒ  ｂｏｏｓｔｉｎｇ）を適用することができる。電力ブースティングとは、一つのＯＦＤＭシンボルのリソース要素（ＲＥ）のうち、参照信号のために割り当てられたＲＥ以外のＲＥの電力を借用して、参照信号をより高い電力で伝送することを意味する。
【０１０２】
時間領域で参照信号の位置は各スロットのシンボルインデックス（ｌ）０を始点として一定の間隔で配置される。時間間隔はＣＰ長によって異なるように定義される。一般ＣＰの場合に、スロットのシンボルインデックス０及び４に位置し、拡張されたＣＰの場合には、スロットのシンボルインデックス０及び３に位置する。一つのＯＦＤＭシンボルには最大２個のアンテナポートの参照信号のみが定義される。したがって、４伝送アンテナ伝送時に、アンテナポート０及び１のための参照信号は、スロットのシンボルインデックス０及び４（拡張されたＣＰの場合はシンボルインデックス０及び３）に位置し、アンテナポート２及び３のための参照信号は、スロットのシンボルインデックス１に位置する。ただし、アンテナポート２及び３のための参照信号の周波数位置は、２番目のスロットでは互いに取り替えられる。
【０１０３】
既存の３ＧＰＰ  ＬＴＥ（例えば、リリース−８）システムよりも高いスペクトル効率性（Ｓｐｅｃｔｒａｌ  Ｅｆｆｉｃｉｅｎｃｙ）を支援するために、拡張されたアンテナ構成を有するシステム（例えば、ＬＴＥ−Ａシステム）を設計することができる。拡張されたアンテナ構成は、例えば、８個の伝送アンテナ構成でよい。このような拡張されたアンテナ構成を有するシステムでは、既存のアンテナ構成で動作する端末を支援、すなわち、後方互換性（ｂａｃｋｗａｒｄ  ｃｏｍｐａｔｉｂｉｌｉｔｙ）を支援する必要がある。そのため、既存のアンテナ構成による参照信号パターンを支援し、追加のアンテナ構成に対する新しい参照信号パターンを設計する必要がある。ここで、既存のアンテナ構成を持つシステムに新しいアンテナポートのためのＣＲＳを追加すると、参照信号オーバーヘッドが急増し、データ伝送率が低下することにつながる。このような事項を考慮して、３ＧＰＰ  ＬＴＥの進展であるＬＴＥ−Ａ（Ａｄｖａｎｃｅｄ）システムでは、新しいアンテナポートのためのチャネル状態情報（ＣＳＩ）測定のための別の参照信号（ＣＳＩ−ＲＳ）を導入することができる。
【０１０４】
以下では、ＤＲＳについて具体的に説明する。
【０１０５】
ＤＲＳ（または、端末−特定参照信号）は、データ復調のために用いられる参照信号で、多重アンテナ伝送をする時に特定端末に用いられるプリコーディング重み値を参照信号にもそのまま用いることによって、端末が参照信号を受信した時に、各送信アンテナから伝送されるプリコーディング重み値及び伝送チャネルが結合した均等チャネル（Ｅｑｕｉｖａｌｅｎｔ  ｃｈａｎｎｅｌ）を推定できるようにする。
【０１０６】
既存の３ＧＰＰ  ＬＴＥシステム（例えば、リリース−８）は、最大４送信アンテナ伝送を支援し、ランク１ビームフォーミングのためのＤＲＳが定義されている。ランク１ビームフォーミングのためのＤＲＳは、アンテナポートインデックス５に対する参照信号と表示されることもある。ＤＲＳがリソースブロック上にマッピングされる規則は、下記の数学式１３及び１４に従う。数学式１３は、一般ＣＰの場合であり、数学式１４は、拡張されたＣＰの場合である。
【０１０７】
【数１３】
0005567153.tif 000040
【０１０８】
【数１４】
0005567153.tif 000041
数学式１３及び１４で、ｋは副搬送波インデックス、ｌはシンボルインデックス、ｐはアンテナポートインデックスである。
【０１０９】
【化２７】
0005567153.tif 000042
は、周波数領域でリソースブロック大きさを表し、副搬送波の個数で表現される。
【０１１０】
【化２８】
0005567153.tif 000043
は、物理リソースブロックナンバーを表す。
【０１１１】
【化２９】
0005567153.tif 000044
は、対応するＰＤＳＣＨ伝送のリソースブロックの帯域幅を表す。
【０１１２】
【化３０】
0005567153.tif 000045
は、スロットインデックスを表し、
【０１１３】
【化３１】
0005567153.tif 000046
は、セルＩＤを表す。ｍｏｄは、モジューラ演算を表す。周波数領域で参照信号の位置はＶｓｈｉｆｔ値に依存する。なお、Ｖｓｈｉｆｔ値はセルＩＤに依存するので、参照信号の位置は、セル別に異なる周波数シフト値を有することとなる。
【０１１４】
一方、３ＧＰＰ  ＬＴＥの進展てあるＬＴＥ−Ａ（Ａｄｖａｎｃｅｄ）システムでは、高い次数（ｏｒｄｅｒ）のＭＩＭＯ、多重−セル伝送、発展したＭＵ−ＭＩＭＯなどが考慮されているが、効率的な参照信号の運用と発展した伝送方式を支援するために、ＤＲＳベースのデータ復調を考慮している。すなわち、既存の３ＧＰＰ  ＬＴＥ（例えば、リリース−８）で定義するランク１ビームフォーミングのためのＤＲＳ（アンテナポートインデックス５）とは別途に、追加されたアンテナを通じたデータ伝送を支援するために、２以上のレイヤーに対するＤＲＳを定義することができる。
【０１１５】
（協力型多重−ポイント（Ｃｏｏｐｅｒａｔｉｖｅ  Ｍｕｌｔｉ−Ｐｏｉｎｔ；ＣｏＭＰ））
３ＧＰＰ  ＬＴＥ−Ａシステムの改善されたシステム性能の要求条件から、ＣｏＭＰ送受信技術（ｃｏ−ＭＩＭＯ、共同（ｃｏｌｌａｂｏｒａｔｉｖｅ）ＭＩＭＯまたはネットワークＭＩＭＯなどと表現することもできる。）が提案されている。ＣｏＭＰ技術は、セル−境界（ｃｅｌｌ−ｅｄｇｅ）に位置している端末の性能を増加させ、平均セクター収率（ｔｈｒｏｕｇｈｐｕｔ）を増加させることができる。
【０１１６】
一般に、周波数再使用因子（ｆｒｅｑｕｅｎｃｙ  ｒｅｕｓｅ  ｆａｃｔｏｒ）が１である多重−セル環境において、セル−間干渉（Ｉｎｔｅｒ−Ｃｅｌｌ  Ｉｎｔｅｒｆｅｒｅｎｃｅ；ＩＣＩ）により、セル−境界に位置している端末の性能と平均セクター収率が減少することがある。このようなＩＣＩを低減させるために、既存のＬＴＥシステムでは、端末特定電力制御を用いた部分周波数再使用（ｆｒａｃｔｉｏｎａｌ  ｆｒｅｑｕｅｎｃｙ  ｒｅｕｓｅ；ＦＦＲ）のような単純な受動的な手法を用いて、干渉により制限を受けた環境でセル−境界に位置している端末に適切な収率性能を有させる方法が適用されてきた。しかし、セル当たりの周波数リソースの使用を減少させるよりは、ＩＣＩを低減させたり、ＩＣＩを端末の所望する信号として再使用することがより好ましいことがある。上記のような目的を達成するために、ＣｏＭＰ伝送手法を適用することができる。
【０１１７】
ダウンリンクの場合に適用可能なＣｏＭＰ手法は、ジョイント−プロセシング（ｊｏｉｎｔ  ｐｒｏｃｅｓｓｉｎｇ；ＪＰ）手法と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）手法とに大別することができる。
【０１１８】
ＪＰ手法は、ＣｏＭＰ協力単位のそれぞれのポイント（基地局）でデータを用いることができる。ＣｏＭＰ協力単位は、協力伝送手法に用いられる基地局の集合を意味する。ＪＰ手法は、ジョイント伝送（Ｊｏｉｎｔ  Ｔｒａｎｓｍｉｓｓｉｏｎ）手法と動的セル選択（Ｄｙｎａｍｉｃ  ｃｅｌｌ  ｓｅｌｅｃｔｉｏｎ）手法とに分類することができる。
【０１１９】
ジョイント伝送手法は、ＰＤＳＣＨが一度に複数個のポイント（ＣｏＭＰ協力単位の一部または全部）から伝送される手法のことをいう。すなわち、単一端末に伝送されるデータは、複数個の伝送ポイントから同時に伝送されることが可能である。ジョイント伝送手法によれば、コヒーレントに（ｃｏｈｅｒｅｎｔｌｙ）またはノン−コヒーレントに（ｎｏｎ−ｃｏｈｅｒｅｎｔｌｙ）受信信号の品質を向上させることができ、かつ、他の端末に対する干渉を能動的に消去することもできる。
【０１２０】
動的セル選択手法は、ＰＤＳＣＨが一度に（ＣｏＭＰ協力単位の）一つのポイントから伝送される手法のことをいう。すなわち、特定時点で単一端末に伝送されるデータは一つのポイントから伝送され、その時点に、協力単位内における他のポイントは当該端末にデータを伝送しない。ここで、当該端末にデータを伝送するポイントは動的に選択することができる。
【０１２１】
一方、ＣＳ／ＣＢ手法によれば、ＣｏＭＰ協力単位が単一端末へのデータ伝送のビームフォーミングを協力的に行うことができる。ここで、データはサービングセルのみから伝送されるが、ユーザースケジューリング／ビームフォーミングは、該当のＣｏＭＰ協力単位のセルの調整によって決定されることが可能である。
【０１２２】
一方、アップリンクの場合に、調整（ｃｏｏｒｄｉｎａｔｅｄ）多重−ポイント受信は、地理的に離れた複数個のポイントの調整によって伝送された信号を受信することを意味する。アップリンクにおいて適用可能なＣｏＭＰ手法は、ジョイント受信（Ｊｏｉｎｔ  Ｒｅｃｅｐｔｉｏｎ；ＪＲ）と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）とに分類することができる。
【０１２３】
ＪＲ手法は、ＰＵＳＣＨを通じて伝送された信号が複数個の受信ポイントで受信されることを意味し、ＣＳ／ＣＢ手法は、ＰＵＳＣＨが一つのポイントでのみ受信されるが、ユーザースケジューリング／ビームフォーミングは、ＣｏＭＰ協力単位のセルの調整によって決定されることを意味する。
【０１２４】
（サウンディング参照信号（ＳＲＳ））
サウンディング参照信号（Ｓｏｕｎｄｉｎｇ  Ｒｅｆｅｒｅｎｃｅ  Ｓｉｇｎａｌ；ＳＲＳ）は、主に、基地局がチャネル品質測定をしてアップリンク上で周波数−選択的（ｆｒｅｑｕｅｎｃｙ−ｓｅｌｅｃｔｉｖｅ）スケジューリングのために用いられ、アップリンクデータ及び／または制御情報伝送とは関連しない。しかし、これに制限されるものではなく、ＳＲＳは、向上した電力制御の目的または最近にスケジューリングされなかった端末の様々な開始機能（ｓｔａｒｔ−ｕｐ  ｆｕｎｃｔｉｏｎ）を支援する目的に用いられることもある。開始機能は、例えば、初期変調及びコーディング手法（Ｍｏｄｕｌａｔｉｏｎ  ａｎｄ  Ｃｏｄｉｎｇ  Ｓｃｈｅｍｅ；ＭＣＳ）、データ伝送のための初期電力制御、タイミング整列（ｔｉｍｉｎｇ  ａｄｖａｎｃｅ）及び周波数半−選択的スケジューリング（サブフレームの１番目のスロットでは周波数リソースが選択的に割り当てられ、２番目のスロットでは他の周波数に擬似ランダム（ｐｓｅｕｄｏ−ｒａｎｄｏｍ）にホッピングするスケジューリング）などを含むことができる。
【０１２５】
また、ＳＲＳは、無線チャネルがアップリンクとダウンリンク間に相互的（ｒｅｃｉｐｒｏｃａｌ）であるという仮定の下に、ダウンリンクチャネル品質測定のために用いられることもある。このような仮定は、アップリンクとダウンリンクとが同じ周波数帯域を共有し、時間領域で区別される時分割デュプレックス（ｔｉｍｅ  ｄｉｖｉｓｉｏｎ  ｄｕｐｌｅｘ；ＴＤＤ）システムにおいて特に有効である。
【０１２６】
セル内の任意の端末によってＳＲＳが伝送されるサブフレームは、セル−特定ブロードキャストシグナリングによって指示される。４−ビットのセル−特定「ｓｒｓＳｕｂｆｒａｍｅＣｏｎｆｉｇｕｒａｔｉｏｎ」パラメータは、それぞれの無線フレーム内でＳＲＳ伝送可能なサブフレームの１５個の可能な構成を表す。このような構成により、ネットワーク配置シナリオに応じてＳＲＳオーバーヘッドを調整できる柔軟性を提供することができる。このパラメータの残り一つ（１６番目）の構成は、セル内のＳＲＳ伝送を完全にオフにする（ｓｗｉｔｃｈ−ｏｆｆ）もので、例えば、主に、高速の端末をサービングするセルに好適である。
【０１２７】
図８に示すように、ＳＲＳは、常に、構成されたサブフレームの最後尾のＳＣ−ＦＤＭＡシンボル上で伝送される。そのため、ＳＲＳと復調用参照信号（ＤｅＭｏｄｕｌａｔｉｏｎ  Ｒｅｆｅｒｅｎｃｅ  Ｓｉｇｎａｌ；ＤＭＲＳ）とは、異なるＳＣ−ＦＤＭＡシンボル上に位置する。ＰＵＳＣＨデータ伝送は、ＳＲＳ伝送のために指定されたＳＣ−ＦＤＭＡシンボル上で許容されず、よって、サウンディングオーバーヘッドが最も高い場合（すなわち、全サブフレームでＳＲＳ伝送シンボルが存在する場合）にも、略７％を越えない。
【０１２８】
それぞれのＳＲＳシンボルは、与えられた時間単位及び周波数帯域に対して基本シーケンス（ランダムシーケンスまたはＺＣ（Ｚａｄｏｆｆ−Ｃｈｕ）ベースのシーケンス集合）によって生成され、セル内の全端末は、同じ基本シーケンスを用いる。この時、同じ時間単位及び同じ周波数帯域において、セル内の複数個の端末からのＳＲＳ伝送は、当該複数個の端末に割り当てられる基本シーケンスの異なる巡回シフト（ｃｙｃｌｉｃ  ｓｈｉｆｔｓ）によって直交的に（ｏｒｔｈｏｇｏｎａｌｌｙ）区別される。異なるセルのＳＲＳシーケンスは、セルごとに異なる基本シーケンスを割り当てることで区別できるが、異なる基本シーケンス間に直交性は保障されない。
【０１２９】
（中継機）
中継機は、例えば、高速データレートカバレッジの拡大、グループ移動性の向上、臨時ネットワークの配置、セル境界における収率の向上及び／または新しい領域へのネットワークカバレッジの提供のために考慮することができる。
【０１３０】
中継機は、基地局と端末間の送受信を伝達（ｆｏｒｗａｒｄｉｎｇ）する役割を有し、それぞれの搬送波周波数帯域に属性の異なる２種類のリンク（バックホールリンク及びアクセスリンク）が適用される。基地局は、ドナーセル（ｄｏｎｏｒ  ｃｅｌｌ）を含むことができる。中継機は、ドナーセルを通じて無線アクセスネットワークと無線で接続する。
【０１３１】
基地局と中継機間のバックホールリンクがダウンリンク周波数帯域またはダウンリンクサブフレームリソースを用いる場合を、バックホールダウンリンクと表現し、アップリンク周波数帯域またはアップリンクサブフレームリソースを用いる場合を、バックホールアップリンクと表現できる。ここで、周波数帯域は、ＦＤＤ（Ｆｒｅｑｕｅｎｃｙ  Ｄｉｖｉｓｉｏｎ  Ｄｕｐｌｅｘ）モードで割り当てられるリソースであり、サブフレームは、ＴＤＤ（Ｔｉｍｅ  Ｄｉｖｉｓｉｏｎ  Ｄｕｐｌｅｘ）モードで割り当てられるリソースである。同様に、中継機と端末間のアクセスリンクがダウンリンク周波数帯域またはダウンリンクサブフレームリソースを用いる場合を、アクセスダウンリンクと表現し、アップリンク周波数帯域またはアップリンクサブフレームリソースを用いる場合を、アクセスアップリンクと表現できる。
【０１３２】
基地局にはアップリンク受信及びダウンリンク伝送の機能が要求され、端末にはアップリンク伝送及びダウンリンク受信の機能が要求される。一方、中継機には基地局へのバックホールアップリンク伝送、端末からのアクセスアップリンク受信、基地局からのバックホールダウンリンク受信及び端末へのアクセスダウンリンク伝送といった全ての機能が要求される。
【０１３３】
図９は、ＦＤＤモード中継機の送受信部機能の一具現例を示す図である。中継機の受信機能を概念的に説明すると、次の通りである。基地局からのダウンリンク受信信号は、デュプレックサ９１１を経てＦＦＴ（Ｆａｓｔ  Ｆｏｕｒｉｅｒ  Ｔｒａｎｓｆｏｒｍ）モジュール９１２に伝達され、ＯＦＤＭＡ基底帯域（Ｂａｓｅｂａｎｄ）受信プロセス９１３が行われる。端末からのアップリンク受信信号は、デュプレックサ９２１を経てＦＦＴモジュール９２２に伝達され、ＤＦＴ−ｓ−ＯＦＤＭＡ（Ｄｉｓｃｒｅｔｅ  Ｆｏｕｒｉｅｒ  Ｔｒａｎｓｆｏｒｍ−ｓｐｒｅａｄ−ＯＦＤＭＡ）基底帯域受信プロセス９２３が行われる。基地局からのダウンリンク信号受信プロセスと端末からのアップリンク信号受信プロセスは同時に並列的に行われることがある。一方、中継機の伝送機能を概念的に説明すると、次の通りである。基地局へのアップリンク伝送信号は、ＤＦＴ−ｓ−ＯＦＤＭＡ基底帯域伝送プロセス９３３、ＩＦＦＴ（Ｉｎｖｅｒｓｅ  ＦＦＴ）モジュール９３２及びデュプレックサ９３１を通じて伝送される。端末へのダウンリンク伝送信号は、ＯＦＤＭ基底帯域伝送プロセス９４３、ＩＦＦＴモジュール９４２及びデュプレックサ９４１を通じて伝送される。基地局へのアップリンク信号伝送プロセスと端末へのダウンリンク信号伝送プロセスは同時に並列的に行われることがある。また、一方向と示されたデュプレックサは、一つの両方向デュプレックサにしてもよい。例えば、デュプレックサ９１１とデュプレックサ９３１を、一つの両方向デュプレックサで具現することができ、デュプレックサ９２１とデュプレックサ９４１を、一つの両方向デュプレックサで具現することができる。両方向デュプレックサの場合に、一つの両方向デュプレックサで特定搬送波周波数帯域上の送受信に関連付けられるＩＦＦＴモジュール及び基底帯域プロセスモジュールラインが分岐されるものとしてもよい。
【０１３４】
一方、中継機の帯域（またはスペクトル）の使用について、バックホールリンクがアクセスリンクと同じ周波数帯域で動作する場合を「イン−バンド（ｉｎ−ｂａｎｄ）」といい、バックホールリンクとアクセスリンクとが異なる周波数帯域で動作する場合を「アウト−バンド（ｏｕｔ−ｂａｎｄ）」という。イン−バンド及びアウト−バンドのいずれにおいても、既存のＬＴＥシステム（例えば、リリース−８）に基づいて動作する端末（以下、レガシー（ｌｅｇａｃｙ）端末という。）がドナーセルに接続できるようにしなければならない。
【０１３５】
端末で中継機を認識するか否かによって、中継機を、トランスペアレント（ｔｒａｎｓｐａｒｅｎｔ）中継機とノン−トランスペアレント（ｎｏｎ−ｔｒａｎｓｐａｒｅｎｔ）中継機とに分類することができる。トランスペアレントは、端末が中継機を介してネットワークと通信するか否かを認知できない場合を意味し、ノン−トランスペアレントは、端末が中継機を介してネットワークと通信するか否かを認知する場合を意味する。
【０１３６】
中継機の制御と関連して、ドナーセルの一部として構成される中継機、または自らセルを制御する中継機とに区別することができる。
【０１３７】
ドナーセルの一部として構成される中継機は、中継機識別子（ＩＤ）を有することはできるが、中継機自身のセルアイデンティティ（ｉｄｅｎｔｉｔｙ）を有しない。ドナーセルの属する基地局によってＲＲＭ（Ｒａｄｉｏ  Ｒｅｓｏｕｒｃｅ  Ｍａｎａｇｅｍｅｎｔ）の少なくとも一部が制御されると、（ＲＲＭの残りの部分は中継機に位置しても）ドナーセルの一部として構成される中継機とする。好ましくは、このような中継機はレガシー端末を支援することができる。かかる中継機には、例えば、スマートリピータ（Ｓｍａｒｔ  ｒｅｐｅａｔｅｒｓ）、デコード−アンド−フォワード中継機（ｄｅｃｏｄｅ−ａｎｄ−ｆｏｒｗａｒｄ  ｒｅｌａｙｓ）、Ｌ２（第２の層）中継機の様々な種類及びタイプ−２中継機がある。
【０１３８】
自らセルを制御する中継機の場合に、中継機は一つまたは複数のセルを制御し、中継機により制御されるセルのそれぞれに固有の物理層セルアイデンティティが提供され、同じＲＲＭメカニズムを用いることができる。端末にとっては、中継機によって制御されるセルにアクセスすることと一般基地局により制御されるセルにアクセスすることとに、相違点がない。好ましくは、このような中継機により制御されるセルは、レガシー端末を支援することができる。かかる中継機には、例えば、セルフ−バックホーリング（Ｓｅｌｆ−ｂａｃｋｈａｕｌｉｎｇ）中継機、Ｌ３（第３層）中継機、タイプ−１中継機及びタイプ−１ａ中継機がある。
【０１３９】
タイプ−１中継機は、イン−バンド中継機であり、複数個のセルを制御し、これら複数個のセルのそれぞれは、端末にとっては、ドナーセルと区別される別個のセルとして見える。また、複数個のセルは、各自の物理セルＩＤ（ＬＴＥリリース−８で定義する。）を有し、中継機は自身の同期化チャネル、参照信号などを伝送することができる。単一−セル動作の場合に、端末は中継機から直接スケジューリング情報及びＨＡＲＱフィードバックを受信し、かつ、中継機に自身の制御チャネル（スケジューリング要請（ＳＲ）、ＣＱＩ、ＡＣＫ／ＮＡＣＫなど）を伝送することができる。なお、レガシー端末（ＬＴＥリリース−８システムに基づいて動作する端末）にとって、タイプ−１中継機はレガシー基地局（ＬＴＥリリース−８システムに基づいて動作する基地局）として見える。すなわち、後方互換性（ｂａｃｋｗａｒｄ  ｃｏｍｐａｔｉｂｉｌｉｔｙ）を有する。一方、ＬＴＥ−Ａシステムに基づいて動作する端末には、タイプ−１中継機がレガシー基地局とは異なる基地局として見え、性能向上を提供することができる。
【０１４０】
タイプ−１ａ中継機は、アウト−バンドで動作する以外は、前述のタイプ−１中継機と同様の特徴を有する。タイプ−１ａ中継機の動作は、Ｌ１（第１の層）動作に対する影響が最小化するようにまたはないように構成することができる。
【０１４１】
タイプ−２中継機は、イン−バンド中継機であり、別途の物理セルＩＤを有さず、よって、新しいセルを形成しない。タイプ−２中継機は、レガシー端末にトランスペアレントであり、レガシー端末はタイプ−２中継機の存在が認知できない。タイプ−２中継機は、ＰＤＳＣＨを伝送することができるが、少なくともＣＲＳ及びＰＤＣＣＨは伝送しない。
【０１４２】
一方、中継機がイン−バンドで動作するようにするために、時間−周波数空間での一部リソースをバックホールリンクのために予備しておかなければならず、このリソースは、アクセスリンクのためには用いられないように設定することができる。これを、リソース分割（ｒｅｓｏｕｒｃｅ  ｐａｒｔｉｔｉｏｎｉｎｇ）という。
【０１４３】
中継機でのリソース分割における一般的な原理は、次のように説明することができる。バックホールダウンリンク及びアクセスダウンリンクを一つの搬送波周波数上で時間分割多重化（Ｔｉｍｅ  Ｄｉｖｉｓｉｏｎ  Ｍｕｌｔｉｐｌｅｘｉｎｇ；ＴＤＭ）方式で多重化することができる（すなわち、特定時間でバックホールダウンリンクまたはアクセスダウンリンクのいずれかのみが活性化される）。同様に、バックホールアップリンク及びアクセスアップリンクを一つの搬送波周波数上でＴＤＭ方式で多重化することができる（すなわち、特定時間でバックホールアップリンクまたはアクセスアップリンクのいずれかのみが活性化される）。
【０１４４】
ＦＤＤでのバックホールリンク多重化は、バックホールダウンリンク伝送はダウンリンク周波数帯域で行われ、バックホールアップリンク伝送はアップリンク周波数帯域で行われるものと説明することができる。ＴＤＤでのバックホールリンク多重化は、バックホールダウンリンク伝送は基地局と中継機とのダウンリンクサブフレームで行われ、バックホールアップリンク伝送は基地局と中継機とのアップリンクサブフレームで行われるものと説明することができる。
【０１４５】
イン−バンド中継機の場合に、例えば、所定の周波数帯域で基地局からのバックホールダウンリンク受信と端末へのアクセスダウンリンク伝送が同時になされると、中継機の送信端から伝送される信号が中継機の受信端に受信されることがあり、そのため、中継機のＲＦ前端（ｆｒｏｎｔ−ｅｎｄ）で信号干渉またはＲＦジャミング（ｊａｍｍｉｎｇ）が発生することがある。同様に、所定の周波数帯域で端末からのアクセスアップリンクの受信と基地局へのバックホールアップリンクの伝送が同時になされると、中継機のＲＦ前端で信号干渉が発生することがある。そのため、中継機で一つの周波数帯域を通じた同時送受信を可能するためには、受信信号と送信信号間に十分な分離（例えば、送信アンテナと受信アンテナとを地理的に十分に離間して（例えば、地上／地下に）設置する。）を提供しなければならない。
【０１４６】
このような信号干渉の問題を解決する一案として、中継機がドナーセルから信号を受信する間には端末に信号を伝送しないように動作させることがある。すなわち、中継機から端末への伝送にギャップ（ｇａｐ）を置き、このギャップ中には端末（レガシー端末も含む。）が中継機からのいかなる伝送も期待しないように設定することができる。図１０では、第１のサブフレーム１０１０は一般サブフレームであって、中継機から端末にダウンリンク（すなわち、アクセスダウンリンク）制御信号及びデータが伝送され、第２のサブフレーム１０２０はＭＢＳＦＮサブフレームであって、ダウンリンクサブフレームの制御領域１０２１では中継機から端末に制御信号が伝送されるが、ダウンリンクサブフレームの残り領域１０２２では中継機から端末に何らの伝送も行われない。ここで、レガシー端末は、全ダウンリンクサブフレームで物理ダウンリンク制御チャネル（ＰＤＣＣＨ）の伝送を期待するようになるため（言い換えると、中継機は、自身の領域内のレガシー端末が毎サブフレームでＰＤＣＣＨを受信して測定機能を行うように支援する必要があるため）、レガシー端末の正しい動作のためには、全ダウンリンクサブフレームでＰＤＣＣＨを伝送する必要がある。そのため、基地局から中継機へのダウンリンク（すなわち、バックホールダウンリンク）伝送のために設定されたサブフレーム（第２のサブフレーム１０２０）上でも、サブフレームの先頭Ｎ（Ｎ＝１、２または３）個のＯＦＤＭシンボル区間で、中継機はバックホールダウンリンクを受信するのではなく、アクセスダウンリンク伝送をする必要がある。これに対し、第２のサブフレームの制御領域１０２１でＰＤＣＣＨが中継機から端末に伝送されるため、中継機でサービングするレガシー端末に対する後方互換性を提供することができる。第２のサブフレームの残り領域１０２２では、中継機から端末に何らの伝送も行われない間に、中継機は基地局からの伝送を受信することができる。したがって、このようなリソース分割方式を用いて、イン−バンド中継機でアクセスダウンリンク伝送とバックホールダウンリンク受信が同時に行われることを防ぐことができる。
【０１４７】
ＭＢＳＦＮサブフレームを用いる第２のサブフレーム１０２２について具体的に説明する。第２のサブフレームの制御領域１０２１は、中継機非聴取（ｎｏｎ−ｈｅａｒｉｎｇ）区間ということができる。中継機非聴取区間とは、中継機がバックホールダウンリンク信号を受信しないでアクセスダウンリンク信号を伝送する区間のことを意味する。この区間は、前述したように、１、２または３  ＯＦＤＭ長に設定されるとよい。中継機非聴取区間１０２１で中継機は端末へのアクセスダウンリンク伝送を行い、残り領域１０２２では基地局からバックホールダウンリンクを受信することができる。この時、中継機は同一の周波数帯域で同時に送受信を行うことができず、中継機が送信モードから受信モードに切り替わるのに時間がかかる。そのため、バックホールダウンリンク受信領域１０２２の先頭の一部区間では、中継機が送信／受信モード切替を行うようにガード時間（ＧＴ）が設定される必要がある。同様に、中継機が基地局からのバックホールダウンリンクを受信し、端末へのアクセスダウンリンクを伝送するように動作する場合にも、中継機の受信／送信モード切替のためのガード時間（ＧＴ）を設定することができる。このようなガード時間の長さとして時間領域の値を与えることができ、例えば、ｋ（ｋ≧１）個の時間サンプル（ｔｉｍｅ  ｓａｍｐｌｅ、Ｔｓ）値を与えてもよく、一つ以上のＯＦＤＭシンボル長に設定してもよい。または、中継機バックホールダウンリンクサブフレームが連続して設定されている場合に、または所定のサブフレームタイミング整列（ｔｉｍｉｎｇ  ａｌｉｇｎｍｅｎｔ）関係によって、サブフレームの最後の部分のガード時間は定義または設定されなくてもよい。このようなガード時間を、後方互換性を維持するために、バックホールダウンリンクサブフレーム伝送のために設定されている周波数領域でのみ定義することができる（アクセスダウンリンク区間でガード時間が設定される場合はレガシー端末を支援することができない）。ガード時間以外のバックホールダウンリンク受信区間１０２２で、中継機は基地局からＰＤＣＣＨ及びＰＤＳＣＨを受信することができる。これを、中継機専用物理チャネルという意味から、Ｒ−ＰＤＣＣＨ（Ｒｅｌａｙ−ＰＤＣＣＨ）及びＲ−ＰＤＳＣＨ（Ｒｅｌａｙ−ＰＤＳＣＨ）と表現することができる。
【０１４８】
（セル間干渉低減動作）
図１を再び参照すると、端末１３２がマクロ端末（すなわち、マクロ基地局１１０によりサービングされる端末）である場合に、マイクロ基地局１２２からの信号が、マクロ基地局１１０から端末１３２へのダウンリンク信号に干渉を誘発することがある。例えば、マイクロ基地局１２２がＣＳＧセル（許諾された特定端末のみ接続可能なセル）であり、端末１３２がＣＳＧに属しない場合に、端末１３２がマイクロ基地局のカバレッジ内に位置しても、マイクロ基地局１２２からサービングされず、マクロ基地局１１０と送受信を行わなければならない。その結果、端末１３２はダウンリンク信号の受信においてマイクロ基地局１２２から強い干渉を受けることがある。
【０１４９】
このような場合に、端末１３２でのダウンリンクチャネル状態測定などに用いられる参照信号（例えば、ＣＲＳ）が強い干渉を受け、ダウンリンク受信信号の強度（例えば、信号−対−干渉及び雑音比（Ｓｉｇｎａｌ−ｔｏ−Ｉｎｔｅｒｆｅｒｅｎｃｅ  ｐｌｕｓ  Ｎｏｉｓｅ  Ｒａｔｉｏ；ＳＩＮＲ））が一定レベル以下に落ちると、端末１３２は、無線リンク失敗（Ｒａｄｉｏ  Ｌｉｎｋ  Ｆａｉｌｕｒｅ；ＲＬＦ）と認識し、他の基地局に接続を再確立（ｃｏｎｎｅｃｔｉｏｎ  ｒｅ−ｅｓｔａｂｌｉｓｈ）するための動作を行うことができる。すなわち、マクロ基地局１１０から端末１３２に伝送される参照信号伝送ＲＥ位置にマイクロ基地局１２２のデータが伝送される場合に、端末１３２の受信する参照信号に強い干渉が発生することがある。このようなセル間干渉（ｉｎｔｅｒ−ｃｅｌｌ  ｉｎｔｅｒｆｅｒｅｎｃｅ）を低減するために、干渉を誘発するセルのダウンリンク伝送において、少なくとも干渉を受けるセルの参照信号には干渉を与えないようにすることができる。
【０１５０】
本発明によれば、特定端末に強い干渉を誘発する基地局がダウンリンク信号（ＰＤＣＣＨ及び／またはＰＤＳＣＨ）を伝送する時に、該当の端末が測定する参照信号（例えば、ＣＲＳ）が伝送されるリソース要素（ＲＥ）位置の全部または一部をパンクチャリング（ｐｕｎｃｔｕｒｉｎｇ）することで、当該参照信号に干渉が発生しないようにすることができる。例えば、図１を再び参照して説明すると、マイクロ基地局１２２がＰＤＣＣＨ及び／またはＰＤＳＣＨを伝送する時に、マクロ基地局１１０のＣＲＳが伝送されるＲＥ位置と重複するＲＥでは何らの信号も伝送しないように動作することができる。
【０１５１】
本発明において、互いに干渉を及ぼす（すなわち、セル間干渉調整（Ｉｎｔｅｒ−Ｃｅｌｌ  Ｉｎｔｅｒｆｅｒｅｎｃｅ  Ｃｏｏｒｄｉｎａｔｉｏｎ；ＩＣＩＣ）の対象となる）セル間のＣＲＳ伝送ＲＥ位置は重なり合わないように設定することができる。例えば、マクロ基地局１１０のＣＲＳ伝送ＲＥ位置とマイクロ基地局１２２のＣＲＳ伝送ＲＥ位置とが重なり合わないように適切な周波数オフセット（Ｖ−ｓｈｉｆｔ）を適用することができる。すなわち、一つの基地局のＣＲＳ伝送ＲＥ位置は他の基地局のＣＲＳ伝送ＲＥ位置と重なり合わないように設定することができる。
【０１５２】
また、マクロ基地局１１０から端末１３２に伝送されるデータ伝送ＲＥ位置にマイクロ基地局１２２の参照信号（例えば、ＣＲＳ）が伝送される場合にも、セル間干渉の問題が生じうる。参照信号は、一般的に高い伝送電力で（すなわち、電力ブースティング（ｂｏｏｓｔｉｎｇ）されて）伝送されるから、他のセルのデータ伝送に強い干渉を誘発することがある。そこで、このようなセル間干渉を低減するために、干渉を受けるセルのダウンリンク伝送において、干渉を与えるセルの参照信号位置ではデータを伝送しないようにすることができる。なぜなら、干渉を与えるセルによりサービングされる他の端末（特に、レガシー端末）の立場では、自身のサービングセル（すなわち、上記干渉を与えるセル）が常にＣＲＳを伝送することを期待するため、あるセルのＣＲＳが他のセルのデータ伝送に干渉を誘発しても、ＣＲＳ伝送をしないわけにはいかない。したがって、干渉を受けるセルが、干渉を与えるセルのＣＲＳ伝送ＲＥ位置ではデータを伝送しないことを考慮することができる。
【０１５３】
本発明によれば、他の基地局から干渉を受ける基地局が、ダウンリンク信号（ＰＤＣＣＨ及び／またはＰＤＳＣＨ）を特定端末に伝送する時に、他の基地局の参照信号（例えば、ＣＲＳ）が伝送されるリソース要素（ＲＥ）位置の全部または一部をパンクチャリング（ｐｕｎｃｔｕｒｉｎｇ）することで、特定端末の制御信号及び／またはデータ伝送が他の基地局の参照信号により干渉を受けることを防ぐことができる。例えば、図１を再び参照して説明すると、マクロ基地局１１０がＰＤＣＣＨ及び／またはＰＤＳＣＨを伝送する時に、マイクロ基地局１２２のＣＲＳが伝送されるＲＥ位置と重複するＲＥでは何らの信号も伝送しないように動作することができる。
【０１５４】
また、以下に説明する本発明の全ての実施例において、パンクチャリングされるＲＥの位置は、他の基地局によって干渉を受けるＲＥの位置、または他の基地局に関連した端末に干渉を及ぼすＲＥの位置を意味することができる。
【０１５５】
また、以下の説明において、干渉を誘発する基地局を干渉セル（ｉｎｔｅｒｆｅｒｉｎｇ  ｃｅｌｌ）と称し、干渉を受ける端末を被害端末（ｖｉｃｔｉｍ  ＵＥ）と称し、干渉を受ける端末をサービングする基地局を被害セル（ｖｉｃｔｉｍ  ｃｅｌｌ）と称することができる。言い換えると、セル間干渉調整（ＩＣＩＣ）の対象となる２個のセルにおいて、干渉セルを、調整される（ｃｏｏｒｄｉｎａｔｅｄ）セルと表現することもできる。
【０１５６】
（実施例１）
本実施例１によれば、互いに干渉をする２個の基地局において、一つの基地局は、他の基地局のＣＲＳ伝送ＲＥ位置と重なるＲＥを全てパンクチャリングすることができる。言い換えると、干渉セルは、自身のダウンリンク伝送において、被害セルの全てのＣＲＳ伝送ＲＥ位置と重なるＲＥを全てパンクチャリングすることができ、これと共にまたはこれと別に、被害セルは自身のダウンリンク伝送において、干渉セルの全てのＣＲＳ伝送ＲＥ位置と重なるＲＥの全てをパンクチャリングすることができる。前者の場合は、被害端末のＣＲＳ測定におけるセル間干渉を低減するためのものであり、後者の場合は、被害端末のデータ復調におけるセル間干渉を低減するためのものである。他のセルのＣＲＳ伝送ＲＥ位置と重なるＲＥを全てパンクチャリングするということは、あるセルで、他のセルのＣＲＳが伝送される全てのアンテナポート０乃至３（すなわち、４個のＣＲＳアンテナポート）に該当するＲＥをヌル（Ｎｕｌｌ）ＲＥとして信号を伝送するという意味である。言い換えると、あるセルのダウンリンクサブフレームで他のセルのＣＲＳ伝送ＲＥ位置と重なるＲＥをミューティング（ｍｕｔｉｎｇ）すると表現することもできる。
【０１５７】
図１１乃至図１３は、この実施例１に係るＲＥパンクチャリングの一例を説明するための図である。
【０１５８】
図１１は、第１の基地局のＣＲＳ伝送パターン（一つのリソースブロックでＣＲＳが伝送されるＲＥ位置）を示し、第１の基地局は、例えば、２アンテナポート伝送をすると仮定する。すなわち、第１の基地局は、アンテナポート０及び１に対するＣＲＳを伝送する。
【０１５９】
図１２は、第２の基地局のＣＲＳ伝送パターンを示し、第２の基地局は、例えば４アンテナポート伝送をすると仮定する。すなわち、第２の基地局は、アンテナポート０乃至３に対するＣＲＳを伝送する。
【０１６０】
図１１及び図１２におけるＣＲＳパターンは、１副搬送波のオフセットだけシフト（ｖ−ｓｈｉｆｔ）されることを示す。
【０１６１】
図１３は、本発明の一実施例によって第１の基地局がダウンリンク伝送をするに当たり、第２の基地局の全てのＣＲＳポートと重なるＲＥをパンクチャリングして伝送することを示している。図１３の例示で、ＰＤＣＣＨは２  ＯＦＤＭシンボル長であると仮定する。
【０１６２】
前述した図１１乃至図１３についの説明及び後述する本発明の実施例についての説明において、第１の基地局は干渉セルで、第２の基地局は被害セルであるか、または、第１の基地局は被害セルで、第２の基地局は干渉セルでよい。前者の場合は、干渉セルの伝送するデータにより被害セルのＣＲＳが干渉されることを防止することであり、後者の場合は、干渉セルの伝送するＣＲＳが被害セルのデータ伝送に与える影響を除去するためである。このうよに、互いに干渉をする２個の基地局において相手の基地局のＣＲＳパターンと重なるＲＥをパンクチャリングする２種類の方式は、別途に適用されてもよく、同時に適用されてもよい。
【０１６３】
（実施例２）
本実施例２によれば、互いに干渉をする２個の基地局において、一つの基地局は、他の基地局のＣＲＳ伝送ＲＥ位置と重なるＲＥの一部をパンクチャリングすることができる。言い換えると、干渉セルは、自身のダウンリンク伝送において、被害セルのＣＲＳ伝送ＲＥ位置と重なるＲＥの一部にパンクチャリングを行うことができ、これと共にまたはこれと別に、被害セルは、自身のダウンリンク伝送において、干渉セルのＣＲＳ伝送ＲＥ位置と重なるＲＥの一部にパンクチャリングを行うことができる。前者の場合は、被害端末のＣＲＳ測定におけるセル間干渉を低減するためであり、後者の場合は、被害端末のデータ復調におけるセル間干渉を低減するためである。他のセルの全ＣＲＳ伝送ＲＥ位置と重なるＲＥの一部をパンクチャリングするということは、あるセルで、他のセルのＣＲＳが伝送されるアンテナポート０乃至３のうちの一つ以上のアンテナポートに該当するＲＥをヌル（Ｎｕｌｌ）ＲＥとして信号を伝送するという意味である。一つ以上のＣＲＳ伝送アンテナポートは、アンテナポート０乃至３のいずれか一つでもよく、アンテナポート０及び２のように、２個以上のアンテナポートの組み合わせに設定されてもよい。
【０１６４】
図１４は、この実施例２に係るＲＥパンクチャリングの一例を説明するための図である。
【０１６５】
ここで、第１の基地局のＣＲＳ伝送パターンは、図１１のように２アンテナポート伝送をすると仮定し、第２の基地局のＣＲＳ伝送パターンは、図１２のように４アンテナポート伝送をすると仮定する。
【０１６６】
図１４は、本発明の一実施例によって第１の基地局がダウンリンク伝送をするに当たり、第２の基地局のＣＲＳ伝送ＲＥのうち、アンテナポート０に該当するＲＥ位置と重なるＲＥをパンクチャリングして伝送することを示す。図１４の例示で、ＰＤＣＣＨは２  ＯＦＤＭシンボル長であると仮定する。
【０１６７】
前述した図１４についての説明において、第１の基地局は干渉セルで、第２の基地局は被害セルであってもよく、または、第１の基地局は被害セルで、第２の基地局は干渉セルであってもよい。前者の場合は、干渉セルの伝送するデータにより被害セルのＣＲＳが干渉されることを防止することであり、後者の場合は、干渉セルの伝送するＣＲＳが被害セルのデータ伝送に与える影響を除去することである。特に、前者の場合では、あるセルのダウンリンク伝送において、他のセルのＣＲＳ伝送ＲＥ位置と重なるＲＥの一部をパンクチャリングすることは、他のセルによりサービングされる端末がＲＬＦを判定する時に、一部のＣＲＳアンテナポートのＣＲＳのみを（例えば、アンテナポート０のＣＲＳのみを）用いる場合に適している。このように互いに干渉をする２個の基地局において、相手の基地局のＣＲＳパターンと重なるＲＥの一部をパンクチャリングする２種類の方式は、別に適用されてもよく、同時に適用されてもよい。
【０１６８】
前述した実施例１及び２では、互いに干渉をする２個の基地局において、ある基地局（第１の基地局）がダウンリンク伝送をするに当たり、他の基地局（第２の基地局）のＣＲＳパターンと重なるＲＥの一部または全部をパンクチャリングする時に、第１の基地局のＰＤＣＣＨ領域及びＰＤＳＣＨ領域の両方でＲＥパンクチャリングが行われるとして説明したが、これに制限されるものではない。すなわち、第１の基地局のダウンリンク伝送において、ＰＤＣＣＨ領域でのみまたはＰＤＳＣＨ領域でのみ、第２の基地局のＣＲＳパターンと重なるＲＥの一部または全部をパンクチャリングしてもよい。または、第１の基地局のダウンリンク伝送において、第２の基地局のＣＲＳパターンのうち、一部のアンテナポートと重なるＲＥをパンクチャリングする時に、ＰＤＣＣＨ領域とＰＤＳＣＨ領域で当該一部のアンテナポートを異なるように設定してもよい。例えば、第１の基地局のＰＤＣＣＨ領域では、第２の基地局のＣＲＳパターンのうち、アンテナポート０及び１のＲＥ位置と重なるＲＥをパンクチャリングし、ＰＤＳＣＨ領域では、第２の基地局のＣＲＳパターンのうち、アンテナポート０のＲＥ位置と重なるＲＥをパンクチャリングすることができる。
【０１６９】
前述した実施例１及び２では、基地局でＲＥをパンクチャリングする方案について説明したし、以下では、基地局がＲＥパンクチャリングのパターンを、自身がサービングする端末に知らせる方案について説明する。
【０１７０】
（実施例３）
互いに干渉をする２個の基地局において、ある基地局が、他の基地局のＣＲＳパターンと重なるＲＥをパンクチャリングする動作を行うとすれば、当該基地局は自身に接続している端末に上位層信号あるいは物理層信号を介してＲＥパンクチャリングの行われるパターンを知らせることができる。これを受信した端末は、ＲＥパンクチャリングの適用された位置がわかり、これをチャネルデコーディングに反映し、ＲＥパンクチャリングによる性能劣化を減らすことができる。例えば、ＰＤＣＣＨについては、より多くのＰＤＣＣＨリソースを使用（すなわち、より高いレベルのＣＣＥ組み合わせ（ａｇｇｒｅｇａｔｉｏｎ）を適用）することで性能劣化を低減することができ、ＰＤＳＣＨについては、ＲＥパンクチャリングを考慮して適切に変調及びコーディング手法（Ｍｏｄｕｌａｔｉｏｎ  ａｎｄ  Ｃｏｄｉｎｇ  Ｓｃｈｅｍｅ；ＭＣＳ）を調節することができる。
【０１７１】
適切にＭＣＳを調節するために、互いに干渉をする２個の基地局において、ある基地局が、他の基地局のＣＲＳパターンと重なるＲＥをＮｕｌｌ  ＲＥとして伝送する他の方法（すなわち、Ｎｕｌｌ  ＲＥを含む伝送方式）としてレートマッチング（ｒａｔｅ  ｍａｔｃｈｉｎｇ）を用いることができる。この場合、基地局は、レートマッチングを用いて伝送信号を構成するようになり、端末は、レートマッチングに合わせてデコーディングを行わなければならない。場合によって、端末ごとに異なるＮｕｌｌ  ＲＥ伝送方式をデコーディングしなければならない場合もある。これによる不明確性を除去するために、基地局は、端末の性能（ｃａｐａｂｉｌｉｔｙ）情報（例えば、リリース（ｒｅｌｅａｓｅ）情報）を用いて、ＲＥパンクチャリング及びレートマッチングを当該端末に適宜に適用することができる。
【０１７２】
また、ＲＥパンクチャリングパターンをシグナリングする方式とＲＥパンクチャリングによるレートマッチングを適用する方式とが混在する場合に、基地局は、端末にとの方式を用いてＮｕｌｌ  ＲＥを伝送するかを知らせ、端末がそれぞれの伝送方式に合わせてデコーディングを行えるようにしなければならない。
【０１７３】
前述した実施例１乃至３は、互いに干渉をする２個の基地局のサブフレーム境界（ｓｕｂｆｒａｍｅ  ｂｏｕｎｄａｒｙ）（またはタイミング）が一致するように同期が合わせられているとして説明されたが、本発明はこれに制限されるものではない。以下では、本発明で提案する原理を、互いに干渉をする２個の基地局のサブフレーム境界が一致しない場合に適用する実施例について説明する。
【０１７４】
（実施例４）
この実施例４は、互いに干渉をする２個の基地局のサブフレーム境界が、所定のＯＦＤＭシンボルだけシフトされている場合におけるセル間干渉低減方案に関する。例えば、互いに干渉をする２個の基地局において、ある基地局が、ＰＤＣＣＨ及びＰＤＳＣＨ領域で他の基地局のＣＲＳパターンと重なるＲＥをパンクチャリングする時に、両基地局のサブフレーム境界がシフトされたＯＦＤＭシンボル個数を考慮して、重なるＲＥの位置を決定することができる。この場合、ＲＥパンクチャリングを行う基地局は、他のセルとのサブフレーム境界がシフトした度合（例えば、ＯＦＤＭシンボル個数）を、自身に接続している端末に知らせることによって、端末がパンクチャリングされたＲＥの位置を把握できるようにする。このようなサブフレーム境界のシフトは、ＣＲＳが密集しているＯＦＤＭシンボルが、異なる時点に伝送されるように調節する目的に活用することができる。
【０１７５】
図１５では、第１の基地局のサブフレーム境界が第２の基地局のサブフレーム境界に比べて例えば１  ＯＦＤＭシンボルだけシフトした場合を示す。このような場合、第１の基地局がＰＤＣＣＨ及び／またはＰＤＳＣＨを伝送する時に、第２の基地局のＣＲＳパターンと重なるＲＥ位置（すなわち、パンクチャリングされるＲＥ位置）も１  ＯＦＤＭシンボルだけシフトする。
【０１７６】
図１６及び図１７では、図１５のように第１の基地局のサブフレーム境界が第２の基地局のサブフレーム境界に比べて１  ＯＦＤＭシンボルだけシフトした場合に、第１の基地局のダウンリンク伝送においてパンクチャリングされるＲＥ位置（すなわち、第２の基地局のＣＲＳパターンと重なるＲＥ位置）を示す図である。図１６及び図１７において、第１及び第２の基地局のＣＲＳパターンは、図１１及び図１２と同様であるとし、第１及び第２の基地局のサブフレーム境界のシフトが適用された実施例を示す。図１６は、第１の基地局のダウンリンク伝送において、第２の基地局のＣＲＳパターンと重なるＲＥの全てをパンクチャリングする場合の例示であり、図１７は、第１の基地局のダウンリンク伝送において、第２の基地局のＣＲＳパターンと重なるＲＥの一部をパンクチャリングする場合の例示である。すなわち、図１６及び図１７の例示は、図１３及び図１４の例示においてサブフレーム境界のシフトが適用された実施例に相当する。
【０１７７】
（実施例５）
図１６及び図１７のように、両基地局のサブフレーム境界が一致しない場合（すなわち、いずれか一方のサブフレーム境界がシフトされた場合）には、ある基地局の一つのサブフレーム内に他の基地局のサブフレームの境界が存在するようになる。例えば、図１６で、第１の基地局の立場では、ＯＦＤＭシンボル１２及び１３が同一のサブフレーム内に存在するが、第２の基地局の立場では、異なるサブフレームに存在する。すなわち、図１６のＯＦＤＭシンボル１２と１３は、第２の基地局の立場では、一つのサブフレームのＯＦＤＭシンボル１３及び後続のサブフレームにおけるＯＦＤＭシンボル０に該当することになる。言い換えると、第１の基地局のＯＦＤＭシンボル１３は、第２の基地局のＯＦＤＭシンボル０と重なることになる。
【０１７８】
ダウンリンクサブフレームの先頭ｋ個のＯＦＤＭシンボル（例えば、ＯＦＤＭシンボル０、１及び２）には、ＰＣＦＩＣＨ、ＰＨＩＣＨ、ＰＤＣＣＨなどの重要制御情報が伝送される。これらの重要制御情報が他の信号により干渉を受ける場合に、端末側ではダウンリンク伝送自体を受信できない不具合が生じることもある。そのため、両基地局のサブフレーム境界が一致しない場合に、重要ダウンリンク制御情報に対する干渉を避けるために、第１の基地局は、第２の基地局のＣＲＳパターンと重なるＲＥ位置をパンクチャリングすることに加えて、第２の基地局の先頭ｋ個のＯＦＤＭシンボルに該当する第１の基地局の末尾ｋ個のＯＦＤＭシンボルでＰＤＳＣＨ及び／またはＣＲＳを伝送しなくてもよい。例えば、図１５のように、第１の基地局と第２の基地局のサブフレーム境界が１  ＯＦＤＭシンボルだけシフトした場合に、第１の基地局は、ＯＦＤＭシンボル１３でＰＤＳＣＨ及び／またはＣＲＳを伝送せずにＮｕｌｌ  ＲＥを伝送することができる。一般に、第１の基地局のサブフレーム境界がｋ個のＯＦＤＭシンボルだけ後にずれている場合に、それぞれのサブフレームの末尾ｋ個のＯＦＤＭシンボルでは伝送を行わないことで、第２の基地局の制御チャネルに対する干渉を与えずに済む。
【０１７９】
図１８及び図１９はそれぞれ、図１６及び図１７の動作について、サブフレーム境界がシフトしたＯＦＤＭシンボル個数だけ第１の基地局のサブフレームの末尾のＯＦＤＭシンボルでパンクチャリングを行う動作を示す。図１８及び図１９では、１  ＯＦＤＭシンボルだけサブフレーム境界がシフトした場合を仮定し、第１の基地局のダウンリンクサブフレームの末尾の１個のＯＦＤＭシンボルがパンクチャリングされる例示を示す。
【０１８０】
そのため、第１の基地局は、第２の基地局のＣＲＳパターン及びサブフレーム境界のシフトした度合に関する情報を端末に知らせる信号を伝送でき、端末は、第１の基地局から受信した情報から、パンクチャリングされるＲＥの位置を把握し、それに基づいてチャネルデコーディングを行うことができる。
【０１８１】
前述した実施例１乃至５を適用するに当たり、互いに干渉をする２個の基地局において第１の基地局がダウンリンク伝送をする時に、第２の基地局のＣＲＳ及び／または重要制御情報と重なるＲＥをパンクチャリングするに当たり、第１の基地局のＰＣＦＩＣＨ及びＰＨＩＣＨが伝送されるＲＥはパンクチャリングされないようにすることができる。すなわち、第１の基地局のＰＣＦＩＣＨとＰＨＩＣＨが伝送されるＲＥは、第２の基地局のＣＲＳ及び／または重要ダウンリンク制御情報と重複してもパンクチャリングされることなく伝送されるようにすることができる。なぜなら、ＰＣＦＩＣＨ及びＰＨＩＣＨが伝送されなかったり、端末でＰＣＦＩＣＨ及びＰＨＩＣＨのデコーディングに失敗する場合に招かれるリソースの浪費は非常に大きいのに対し、ＰＣＦＩＣＨ及びＰＨＩＣＨが占めるリソースは相対的に少ないからである。ただし、本発明で、第１の基地局のＰＣＦＩＣＨ及びＰＨＩＣＨが伝送されるＲＥもＰＤＣＣＨと同じ方式でパンクチャリングされることを排除するわけではない。
【０１８２】
（実施例６）
前述したように、ＬＴＥ−Ａシステムでは、復調参照信号（ＤＭＲＳ）ベースのデータ復調を考慮している。すなわち、ＬＴＥ−Ａシステムで支援する拡張されたアンテナ構成に応じて、２以上のレイヤーに対するＤＭＲＳが定義される。ＤＭＲＳパターンは、図２０及び図２１のように設計することができる。図２０は、一般ＣＰの場合における一般サブフレームでＤＭＲＳが伝送されるＲＥ位置を示す図である。図２１は、ＴＤＤ方式に適用可能なタイプ２の無線フレーム（図２（ｂ））において特別サブフレーム（ｓｐｅｃｉａｌ  ｓｕｂｆｒａｍｅ）に存在するＤｗＰＴＳで用いる目的で設計されたＤＭＲＳが伝送されるＲＥ位置を示す図である。ＴＤＤタイプのフレーム構造の特別サブフレームでＤｗＰＴＳ長は、一般サブフレームと異なる。例えば、ＤｗＰＴＳ長は、一般ＣＰの場合には、３、９、１０、１１または１２  ＯＦＤＭシンボル長を有することができる。ＤｗＰＴＳが３  ＯＦＤＭシンボル長であればデータが伝送されないので、ＤＭＲＳが不要である。ＤｗＰＴＳが９、１０、１１または１２  ＯＦＤＭシンボル長であれば、特別サブフレームにおいて末尾の一部シンボルでアップリンク伝送のためのＵｐＰＴＳ区間が存在するので、これ以外のシンボルにＤＭＲＳ伝送ＲＥが存在するように設計されている。図２１（ａ）は、ＤｗＰＴＳが１１または１２  ＯＦＤＭシンボル長である場合におけるＤＭＲＳパターンを示し、図２１（ｂ）は、ＤｗＰＴＳが９または１０  ＯＦＤＭシンボル長である場合におけるＤＭＲＳパターンを示す。
【０１８３】
一方、互いに干渉をする２個の基地局において、ある基地局のダウンリンクサブフレームにおける末尾のいくつかのＯＦＤＭシンボルがパンクチャリングされる場合は、復調参照信号（ＤＭＲＳ）を用いたチャネル推定に問題が生じることがある。図２０のように、ＤＭＲＳは、一般サブフレームの場合に、ダウンリンクサブフレームの末尾の２個のＯＦＤＭシンボルに存在するからである。
【０１８４】
これを解決するために、本発明によれば、ダウンリンクサブフレームの最後のＯＦＤＭシンボルからいくつかの連続したＯＦＤＭシンボルがパンクチャリングされる場合に、ＴＤＤ方式の無線フレーム構造で特別サブフレームに存在するＤｗＰＴＳで使用する目的で設計されたＤＭＲＳパターン（例えば、図２１のＤＭＲＳパターン）を用いるように設定することができる。例えば、基地局が末尾のＯＦＤＭシンボルをパンクチャリングしない場合（例えば、前述した実施例１乃至４）には、図２０のように一般サブフレームのために設計されたＤＭＲＳパターンを用いることができる。一方、例えば、基地局が末尾のいくつかのＯＦＤＭシンボルをパンクチャリングする場合（例えば、前述の実施例５）には、図２１のようにＤｗＰＴＳのために設計されたＤＭＲＳパターンを用いることができる。図２１（ａ）のＤＭＲＳパターンは、末尾１個または２個のＯＦＤＭシンボルがパンクチャリングされる場合に用いることができ、図２１（ｂ）のＤＭＲＳパターンは、末尾３個または４個のＯＦＤＭシンボルがパンクチャリングされる場合に用いることができる。
【０１８５】
基地局は、上位層信号あるいは物理層信号を介して、端末で用いるＤＭＲＳのパターンを明示的に（ｅｘｐｌｉｃｉｔｌｙ）シグナリングすることもでき、端末が、ダウンリンクサブフレームの末尾の部分にパンクチャリングされるＯＦＤＭシンボルの個数に基づいて、当該ダウンリンクサブフレームで用いられるＤＭＲＳパターンを暗黙的に（ｉｍｐｌｉｃｉｔｌｙ）把握することもできる。例えば、ダウンリンクサブフレームの最後の１個または２個のＯＦＤＭシンボルがパンクチャリングされる場合に、端末は、ＤｗＰＴＳ長１１または１２のために設計されたＤＭＲＳパターン（図２１（ａ））を用いるように定義することができる。
【０１８６】
（実施例７）
この実施例７は、互いに干渉をする２個の基地局において、ある基地局が、ダウンリンク伝送において他の基地局のＣＲＳパターンと重なるＲＥをパンクチャリングするに当たり、ＲＥパンクチャリングパターンをダウンリンクサブフレームごとに異なるように設定する方案に関する。
【０１８７】
例えば、前述した実施例１乃至６において、第１の基地局は第２の基地局のＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）サブフレーム設定（ｃｏｎｆｉｇｕｒａｔｉｏｎ）に従って別々にＲＥパンクチャリングパターンを適用することができる。ＭＢＳＦＮサブフレームは原則としてＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）のためのサブフレームであり、ＭＢＭＳは、複数のセルで同時に同じ信号を伝送するサービスを意味する。そのため、ＭＢＳＦＮサブフレームでは、セル別に異なるデータが伝送されるユニキャスト（ｕｎｉｃａｓｔ）方式に比べて参照信号伝送方式が異なるように定義される。
【０１８８】
具体的に、第１の基地局は、第２の基地局が一般サブフレームと設定したサブフレームについては、第２の基地局のダウンリンクサブフレームのＰＤＣＣＨ及びＰＤＳＣＨ領域の両方に存在するＣＲＳと重なるＲＥにパンクチャリングを行うことができる。このような動作の一実施例が、図１３、１４、１６、１７、１８及び１９に相当する。
【０１８９】
一方、第１の基地局は、第２の基地局がＭＢＳＦＮサブフレームと設定したサブフレームについては、第２の基地局のＭＢＳＦＮサブフレームのＰＤＣＣＨ領域（すなわち、ＯＦＤＭシンボル０及び１）に存在するＣＲＳと重なるＲＥにのみパンクチャリングを行い、第２の基地局のＭＢＳＦＮサブフレームのＰＤＳＣＨ領域（すなわち、ＯＦＤＭシンボル２乃至１３）に存在するＣＲＳと重なるＲＥにはパンクチャリングを行わなくて済む。このような動作の一実施例を、図２２に示す。
【０１９０】
図２２は、図１６のように、互いに干渉をする２個のセルのサブフレーム境界が１  ＯＦＤＭシンボルだけシフトしており、かつ第２の基地局のダウンリンクサブフレームがＭＢＳＦＮサブフレームと設定された場合に、第１の基地局でのＲＥパンクチャリングの一例を示す図である。このように、第２の基地局のＭＢＳＦＮサブフレーム設定によって、第１の基地局でパンクチャリングされるＲＥ個数を減らすと、第２の基地局によりサービングされる端末（すなわち、第１の基地局により干渉を受ける端末）でのＣＲＳ測定に影響を与えないながらも、第１の基地局によりサービングされる端末に対するデータレート（ｄａｔａｒａｔｅ）を高めることが可能になる。
【０１９１】
上のような動作のために、第１及び第２の基地局は、ＭＢＳＦＮサブフレーム設定（ｃｏｎｆｉｇｕｒａｔｉｏｎ）に関する情報を交換でき、それぞれの基地局は、他の基地局のＭＢＳＦＮサブフレーム設定（または、それぞれのサブフレームに適用されるパンクチャリングパターンの情報）を、上位層信号または物理層信号を介してそれぞれの端末に知らせることができる。端末は、基地局から受信した情報から、各サブフレームに適用される適切なパンクチャリングパターンを把握できる。例えば、サブフレームインデックス情報及びＭＢＳＦＮサブフレーム設定（ｃｏｎｆｉｇｕｒａｔｉｏｎ）情報を用いて、あるサブフレームが一般サブフレームであるかまたはＭＢＳＦＮサブフレームであるかを区別し、それに基づくＲＥパンクチャリングパターンを適用することができる。
【０１９２】
（実施例８）
この本実施例８では、互いに干渉をする２個の基地局間のサブフレーム境界が１以上のＯＦＤＭシンボルだけシフトしている場合に、セル間干渉を低減するためのＲＥパンクチャリング動作について具体的に説明する。
【０１９３】
図２３は、互いに干渉をする２個のセルのサブフレーム境界が２  ＯＦＤＭシンボルだけシフトしており、かつ、第２の基地局のダウンリンクサブフレームがＭＢＳＦＮサブフレームと設定された場合に、第１の基地局でのＲＥパンクチャリングの一例を示す図である。図２３の例示では、第１の基地局のダウンリンクサブフレームの制御領域でＲＥパンクチャリングが行われないという長所がある。すなわち、互いに干渉をする２つ基地局のそれぞれのダウンリンクサブフレームにおけるＰＤＣＣＨ領域が重なることを排除することができる。ＬＴＥシステムにおいてＰＤＣＣＨ領域は最大４個のＯＦＤＭシンボル長を有することができるので、互いに干渉をする２つの基地局のサブフレーム境界が４  ＯＦＤＭシンボル以上シフトする場合には、両基地局のサブフレームのＰＤＣＣＨ領域が重なることはない。
【０１９４】
これを考慮して、複数のＯＦＤＭシンボルだけ２つの基地局間のサブフレーム境界をシフトさせる場合に、両基地局のＣＲＳが伝送されるＯＦＤＭシンボルが重複しない位置にシフトさせることができる。ＬＴＥシステムにおいて、ＣＲＳアンテナポート０及び１は、ＯＦＤＭシンボルインデックス０、４、７及び１１に位置し、ＣＲＳアンテナポート２及び３は、ＯＦＤＭシンボルインデックス１及び８に位置する。これを考慮して、図２４のようにサブフレームシフトを適用することができる。図２４では、第１の基地局（ｅＮＢ１）及び第２の基地局（ｅＮＢ２）がそれぞれ４個のアンテナポートに対するＣＲＳ（ＣＲＳ  ｐｏｒｔ  ０，１，２，３）を伝送する場合の例示的なサブフレームシフト方式を示す。図２４に示すように、互いに干渉をする２個の基地局（ｅＮＢ１及びｅＮＢ２）のダウンリンクサブフレームのＰＤＣＣＨ領域でＣＲＳを伝送するＯＦＤＭシンボルが重ならないように、２個の基地局のダウンリンクサブフレーム境界は、２、５、９または１２個のＯＦＤＭシンボルだけシフトすることが可能である。
【０１９５】
または、第２の基地局（ｅＮＢ２）のアンテナポート個数が２以下に制限される場合には、互いに干渉をする２つの基地局のＣＲＳが伝送されるＯＦＤＭシンボルが重複しないようにするために、図２５のようにサブフレームシフトを行うことができる。このような場合は、第２の基地局がＨｅＮＢの場合に特に有用である。図２５では、第１の基地局（ｅＮＢ１）が４個のアンテナポートに対するＣＲＳ（ＣＲＳ  ｐｏｒｔ  ０，１，２，３）を伝送し、第２の基地局（ｅＮＢ２）が２個のアンテナポートに対するＣＲＳ（ＣＲＳ  ｐｏｒｔ  ０，１）を伝送する場合における例示的なサブフレームシフト方式を示す。図２５に示すように、互いに干渉をする２個の基地局（ｅＮＢ１及びｅＮＢ２）のダウンリンクサブフレームにおけるＰＤＣＣＨ領域でＣＲＳを伝送するＯＦＤＭシンボルが重ならないように、２個の基地局のダウンリンクサブフレーム境界は、２、３、５、６、９、１０、１２または１３個のＯＦＤＭシンボルだけシフトすることが可能である。
【０１９６】
（実施例９）
前述した実施例５（図１８及び図１９）では、第１の基地局のサブフレーム境界がｋ（ｋ≧１）個のＯＦＤＭシンボルだけ後にずれている場合に、第１の基地局でサブフレームの末尾ｋ個のＯＦＤＭシンボルをパンクチャリングすることで第２の基地局の制御チャネルに干渉を与えない方式について説明した。本実施例９では、互いに干渉をする２個の基地局間のサブフレーム境界がシフトする場合に、一つの基地局のダウンリンクサブフレームにおける中間の一部ＯＦＤＭシンボルをパンクチャリングする動作について説明する。
【０１９７】
図２４及び図２５の一部例示のように、互いに干渉をする２個の基地局間のサブフレーム境界が多数（例えば、３個以上）のＯＦＤＭシンボルだけシフトする場合に、サブフレーム境界のシフトした基地局が、ダウンリンクサブフレームにおける末尾でシフトされたＯＦＤＭシンボル個数だけパンクチャリングを行うと、多すぎるＯＦＤＭシンボルを伝送しなくなり、伝送性能が大きく低下することがある。そこで、この実施例では、第１の基地局のダウンリンクサブフレームで第２の基地局の制御チャネル伝送ＯＦＤＭシンボルと重なるＯＦＤＭシンボルをパンクチャリングすることを提案する。
【０１９８】
例えば、図２６のように、互いに干渉をする２個の基地局間のサブフレーム境界が６個のＯＦＤＭシンボルだけシフトする場合に、第２の基地局の制御チャネル伝送ＯＦＤＭシンボル（第２の基地局のサブフレームにおけるＯＦＤＭシンボル０、１及び２）と重なる第１の基地局のダウンリンクサブフレームにおけるＯＦＤＭシンボル（図２６のＯＦＤＭシンボル８、９及び１０）をパンクチャリングすることができる。
【０１９９】
図２６では、第１の基地局のダウンリンクサブフレームにおいて第２の基地局のＣＲＳ伝送ＲＥと重なるＲＥがパンクチャリングされないとしたが、本実施例はこれに制限されるものではない。すなわち、図２６の例示に加えて、第１の基地局のダウンリンクサブフレームにおいて第２の基地局のＣＲＳ伝送ＲＥと重なるＲＥがパンクチャリングされてもよい。
【０２００】
または、互いに干渉をする２個の基地局間のサブフレーム境界が、１サブフレームの半分以上だけシフトする場合（例えば、１３  ＯＦＤＭシンボルだけシフトする場合）には、第２の基地局の制御チャネル伝送ＯＦＤＭシンボルと重なることからパンクチャリングされる第１の基地局のＯＦＤＭシンボルは、サブフレームの前の部分に存在することもある。
【０２０１】
このように、１サブフレームにおける中間の一部のＯＦＤＭシンボルをパンクチャリングする動作を行うために、基地局は、上位層信号または物理層信号を介して、サブフレームシフトの度合及び／またはパンクチャリングされるＯＦＤＭシンボルの個数を端末に知らせることができる。
【０２０２】
以上の本発明の実施例において、第１の基地局のダウンリンクサブフレームにおいてパンクチャリングされるＲＥ（すなわち、第２の基地局のＣＲＳ伝送ＲＥと重なるＲＥ及び／または第２の基地局の制御チャネル伝送ＯＦＤＭシンボルと重なるＯＦＤＭシンボル）は、パンクチャリングされうるＲＥの例示に過ぎず、本発明は、該当ＲＥの一部のみをパンクチャリングすることも含む。例えば、ＲＥパンクチャリングは、ＰＤＣＣＨ領域またはＰＤＳＣＨ領域でのみ部分的に行われてもよく、一部のＣＲＳアンテナポートに対応するＲＥのみがパンクチャリングされてもよく、または、サブフレーム別に（例えば、ＭＢＳＦＮサブフレーム設定にしたがって）ＲＥパンクチャリングパターンが異なるように適用されてもよい。上記のように、ＲＥパンクチャリングを適用する一つ以上の方式は同時に適用されても、独立して適用されてもよい。
【０２０３】
また、以上の本発明の実施例によってＲＥパンクチャリングパターンが適用される場合に、該当のサブフレームで用いられるＤＭＲＳパターンを決定することが必要である。例えば、図２６のように、一つのサブフレームでＯＦＤＭシンボル８、９及び１０がパンクチャリングされる場合に、当該サブフレームで、図２１（ｂ）のようにＤｗＰＴＳ長が９または１０  ＯＦＤＭシンボルである場合のためのＤＭＲＳパターンを用いることができる。ここで、基地局と端末は、一般サブフレームのためのＤＭＲＳパターン、１１または１２  ＯＦＤＭシンボル長のＤｗＰＴＳのためのＤＭＲＳパターン、及び９または１０  ＯＦＤＭシンボル長のＤｗＰＴＳのためのＤＭＲＳパターンの順に、当該サブフレームのＲＥパンクチャリングパターンによってＤＭＲＳパターンが影響を受けるか否かを判断できる。これにより、基地局と端末は、ＲＥパンクチャリングパターンによって影響を受けない（パンクチャリングされるＲＥとＤＭＲＳ伝送ＲＥとが衝突しない）ＤＭＲＳパターンを見出し、当該ＤＭＲＳパターンを用いるように互いの動作を規定することができる。
【０２０４】
以下では、特定基地局が他の基地局との調整（ｃｏｏｒｄｉｎａｔｉｏｎ）のためにパンクチャリングまたはレートマッチングを用いる場合に、当該特定基地局に属した端末にパンクチャリングまたはレートマッチングされるＲＥの位置を知らせる情報をシグナリングする方案について説明する。以下では、パンクチャリングまたはレートマッチングされるＲＥを、パンクチャリングされるＲＥ（ｐｕｎｃｔｕｒｅｄ  ＲＥ）と総称する。すなわち、パンクチャリングされるＲＥは、他の基地局の干渉に影響を受けるＲＥという意味を有する。パンクチャリングされるＲＥの位置に関する情報は、サブフレーム別にパンクチャリングされたＲＥの有無、パンクチャリングされるＲＥパターンと基準になるパターン間の時間及び／または周波数オフセット、パンクチャリングされるＲＥに関連する基地局の伝送アンテナの個数などを含むことができる。以下では、パンクチャリングされるＲＥ位置に関する情報（または他の基地局の干渉に影響を受けるＲＥ位置に関する情報）の具体的な内容について説明する。
【０２０５】
（１）サブフレーム別にパンクチャリングされたＲＥの有無
あらかじめ決定された単位（例えば、無線フレーム（１０ｍｓ）またはサブフレーム（１ｍｓ）単位）に、該当のサブフレームでパンクチャリングされたＲＥが存在するか否かをシグナリングすることができる。これは、上位層信号または物理層信号を介して、ビットマップ（ｂｉｔｍａｐ）方式や特定パターン別にインデックスを定義し、該当のインデックスを指示（ｉｎｄｉｃａｔｅ）する方式などでシグナリングすることができる。
【０２０６】
（２）パンクチャリングされるＲＥのパターンと基準パターン間の時間／周波数オフセット
パンクチャリングされるＲＥのパターンを指示するために、ＲＥパンクチャリングに対する所定の基準パターンを定義し、基準パターンからの時間／周波数オフセットを指示することによってＲＥパンクチャリングパターンを指示することができる。各セルで使用するＣＲＳパターンが時間／周波数オフセットに基づいて決定される場合に、例えば、基準パターンは、該当の基地局で用いるＣＲＳパターンと同一に定義されてもよく、または、任意のＲＥパンクチャリングパターンと定義されてもよい。これにより、基準パターン対比時間／周波数上である程度のオフセットを有するかのみを指示することによってＲＥパンクチャリングパターンを端末にシグナリングできるので、ＲＥパンクチャリングパターン自体を指示する場合に比べてシグナリングオーバーヘッドを減少させることができる。
【０２０７】
（３）他のセルの伝送アンテナ個数
互いに干渉をする２個のセルにおいて、第１のセルでパンクチャリングされるＲＥは、第２のセルのＣＲＳ伝送ＲＥと重なる位置と決定することができる。また、ＣＲＳが伝送されるＲＥの個数は、当該セルが使用する伝送アンテナ数によって可変する。そのため、パンクチャリングされるＲＥに関する情報を端末にシグナリングするセル（第１のセル）は、パンクチャリングされるＲＥと関連したセル（すなわち、第２のセル）が使用する伝送アンテナの個数を端末にシグナリングすることができる。
【０２０８】
（４）ＭＢＳＦＮモード使用の有無
図２２及び図２３で説明した通り、互いに干渉をする２個のセルにおいて、第１のセルのダウンリンクサブフレームにおいてパンクチャリングされるＲＥを決定する時に、第２のセルのダウンリンクサブフレームがＭＢＳＦＮサブフレームと設定される場合（すなわち、第２のセルでＰＤＣＣＨ領域のＣＲＳのみが伝送される場合）に、第１のセルのダウンリンクサブフレームにおいてパンクチャリングされるＲＥの個数を減らすことで端末の性能を向上させることができる。このような動作のために、ＲＥパンクチャリングを行う基地局は、ＲＥパンクチャリングが適用されるサブフレームに対して、他の基地局のサブフレームがＭＢＳＦＮサブフレームであるか、一般サブフレームインであるかをシグナリングすることができる。
【０２０９】
（５）シンボルレベルパンクチャリング
ＲＥパンクチャリングは、ＲＥ単位で行われてもよいが、前述した実施例５のように、ＯＦＤＭシンボル単位で行われてもよい。そのため、あるＯＦＤＭシンボル全体をパンクチャリングする場合に、基地局は、パンクチャリングされるシンボルを指示する情報を端末にシグナリングすることができる。
【０２１０】
（６）ＲＥパンクチャリングが行われる時間領域
ダウンリンク伝送の特定時間領域にＲＥパンクチャリングが適用されるか否かを知らせるシグナリングを用いることができる。例えば、ＲＥパンクチャリングがＰＤＣＣＨ領域またはＰＤＳＣＨ領域のいずれか一方で行われることをシグナリングすることができる。または、ＲＥパンクチャリングが第１のスロットまたは第２のスロットのいずれか一方で行われることをシグナリングすることもできる。または、ＲＥパンクチャリングがＮ個（一般ＣＰの場合に、Ｎ＝１４）のＯＦＤＭシンボルのいずれか一つまたは複数個のＯＦＤＭシンボルで行われることをシグナリングすることもできる。このようなシグナリングを通じて、様々な単位の時間領域（ＰＤＣＣＨ／ＰＤＳＣＨ、スロット、ＯＦＤＭシンボル）にＲＥパンクチャリングが適用されるか否かを知らせることができる。
【０２１１】
前述したシグナリング情報は単独でまたは組み合わせでシグナリングすることができる。
【０２１２】
また、前述した実施例３のように、ＲＥパンクチャリングとレートマッチングとが混在する場合には、パンクチャリングされるＲＥの有無などを知らせるシグナリング情報と共に、ＲＥパンクチャリングまたはレートマッチングを区別できる情報をシグナリングすることができる。これにより、端末は、どのＮｕｌｌ  ＲＥ伝送方式が用いられるかがわかる。
【０２１３】
以下では、前述したＲＥパンクチャリング（またはＲＥミューティング）方案が適用されるシナリオについて説明する。前述したＲＥパンクチャリング方案の適用は、ある基地局に干渉を誘発する基地局が存在するか否か及び／または干渉を受ける端末の性能（ｃａｐａｂｉｌｉｔｙ）（例えば、３ＧＰＰ  ＬＴＥリリース−８またはリリース−９のみを支援する端末（すなわち、レガシー（ｌｅｇａｃｙ）端末）であるか、または３ＧＰＰ  ＬＴＥ−Ａを支援する端末（すなわち、アドバンスド（ａｄｖａｎｃｅｄ）端末）であるか）に従って適応的に（ａｄａｐｔｉｖｅｌｙ）決定することができる。より具体的に、下記のような動作シナリオを考慮することができる。以下では、例えば、マクロ基地局（ＭｅＮＢ）からマクロ端末（ＭＵＥ）へのダウンリンク信号が、マイクロ基地局（ＨｅＮＢ）からマイクロ端末（ＨＵＥ）へのダウンリンク信号に干渉を受ける場合を仮定する。すなわち、ＨｅＮＢが干渉セル（ｉｎｔｅｒｆｅｒｉｎｇ）で、ＭｅＮＢが被害セル（ｖｉｃｔｉｍ  ｃｅｌｌ）で、ＭＵＥが被害端末（ｖｉｃｔｉｍ  ＵＥ）である場合を仮定する。ただし、これに制限されず、任意の２個の基地局が互いに干渉をする場合にも、本発明の同一原理を適用することができる。
【０２１４】
（１）ＭＵＥとＨＵＥが両方ともレガシーＵＥである場合
この場合、ＨｅＮＢはＭＵＥのＲＬＦを防止するために（すなわち、干渉を低減するために）、ＭｅＮＢのＣＲＳ位置ではｎｕｌｌ  ＲＥを伝送しなければならない。このようなｎｕｌｌ  ＲＥ伝送をＨＵＥは認知できず、よって、ＨｅＮＢにより特定データ（ＰＤＳＣＨ）ＲＥがパンクチャリングされる動作が行われる。
【０２１５】
（２）ＭＵＥがレガシーＵＥで、ＨＵＥがアドバンスドＵＥである場合
この場合も同様、ＨｅＮＢは、ＭＵＥのＲＬＦを防止するために、ＭｅＮＢのＣＲＳ位置ではｎｕｌｌ  ＲＥを伝送しなければならない。一方、ＨＵＥはこのようなｎｕｌｌ  ＲＥの位置が分かるので、ＨｅＮＢは、ｎｕｌｌ  ＲＥの位置をＨＵＥに知らせ、該当の位置にはデータＲＥをマッピングしないレートマッチングを行うことができる。または、ＨｅＮＢは単にｎｕｌｌ  ＲＥの位置をＨＵＥに知らせ、ＨＵＥは、当該ＲＥをデータデコーディングに活用しない動作を行うこともできる。
【０２１６】
（３）ＭＵＥがアドバンスドＵＥである場合
この場合、ＭＵＥは、不要なＲＬＦを防止するために、無線リンクモニタリング（ｒａｄｉｏ  ｌｉｎｋ  ｍｏｎｉｔｏｒｉｎｇ）を、ＨｅＮＢにより伝送されない、干渉の強くないリソースに対してのみ行うように動作することができる。この場合、ＨｅＮＢは、ＭｅＮＢのＣＲＳ位置にデータ（ＰＤＳＣＨ）を伝送しても差し支えないので、ＲＥミューティング動作を行わなくなる。
【０２１７】
（４）ＭＵＥがＨｅＮＢの隣接領域に存在しない場合
この場合、ＭＵＥがＨｅＮＢから干渉を受けないので、（３）の場合と同様に、ＨｅＮＢはＲＥミューティング動作を行わなくてもよい。
【０２１８】
前述したようなシナリオに応じたセル間干渉低減動作を行うために、ＭｅＮＢは、ＨｅＮＢに、当該ＨｅＮＢに隣接したＭＵＥが存在するか否かを知らせる信号を伝送でき、さらには、ＨｅＮＢに隣接したＭＵＥが存在するとすれば、当該ＭＵＥの性能（例えば、レガシー端末なのかアドバンスド端末なのか）を知らせる信号を伝送することができる。または、より直接的な方式として、ＭｅＮＢが特定ＨｅＮＢに、当該ＨｅＮＢがＲＥミューティングを行うか否かを知らせる信号を伝送することもできる。このような信号を伝送するか否かは、特定ＭＵＥがＨｅＮＢにどれくらい近接しているかをＭｅＮＢが判断して決定することができる。例えば、特定ＭＵＥが当該ＨｅＮＢに対して測定した隣接セル受信電力レベルが非常に高い場合に、ＭｅＮＢは、このようなセル間干渉低減動作に対する信号をＨｅＮＢに伝送することができる。
【０２１９】
もし、アドバンスドＭＵＥが、干渉の強くないリソースに対してのみ無線リンクモニタリング性能（ｃａｐａｂｉｌｉｔｙ）を備えているとすれば、このようなリソース特定（ｒｅｓｏｕｒｃｅ−ｓｐｅｃｉｆｉｃ）モニタリングは、ＭＵＥがＨｅＮＢに近く位置している時にのみ行われるように、ＭｅＮＢが制御することもできる。または、ＭＵＥが自発的にリソース特定モニタリングを行うこともできる。例えば、ＭＵＥは、一般の場合には全てのリソースに対して無線リンクモニタリングを行い、途中でＲＬＦが発生する場合には特定リソース（特定リソースは、基地局により指定されたリソースでもよく、または、端末自身が直接干渉電力測定を行って、干渉の強くないと把握されたリソースでもよい。）に対してのみ無線リンクモニタリングを行うことができる。もし、リソース特定モニタリング中にＲＬＦが発生しなかったとすれば、ＭＵＥは、現在自身が接続しているＭｅＮＢと自身に強い干渉を与える他のｅＮＢ間にリソース調整（ｒｅｓｏｕｒｃｅ  ｃｏｏｒｄｉｎａｔｉｏｎ）がなされていることが把握できる。
【０２２０】
以上では、セル間干渉が非常に強い場合（例えば、ＨｅＮＢとＭｅＮＢが共存しており、かつＭＵＥがＨｅＮＢに隣接した場合）に、一つの基地局（ＨｅＮＢ）が、他の基地局（ＭｅＮＢ）のＣＲＳ伝送ＲＥ位置と重なるＲＥではＰＣＦＩＣＨ／ＰＨＩＣＨ／ＰＤＣＣＨ及び／またはＰＤＳＣＨを伝送しない動作及びそれによる端末（ＭＵＥ）の動作について説明した。このような動作は、基地局からの別の信号無しで（例えば、隣接セルのＣＲＳ伝送パターンに対する信号無しで）端末が自律で判断して行うことができる。例えば、端末（ＭＵＥ）が隣接セル（ＨｅＮＢ）から強いＣＲＳ信号を検出すると、サービングセル（ＭｅＮＢ）から自身に伝送されるＰＣＦＩＣＨ／ＰＨＩＣＨ／ＰＤＣＣＨ及び／またはＰＤＳＣＨを端末（ＭＵＥ）が受信及びデコーディングするに当たり、端末（ＭＵＥ）は、当該隣接セル（ＨｅＮＢ）のＣＲＳにより干渉を受けるＲＥ以外の残りＲＥのみを用いて、該当のチャネルをデコーディングすることができる。または、隣接セル（ＨｅＮＢ）のＣＲＳ干渉の強度がサービングセル（ＭｅＮＢ）の信号強度に比べて一定レベル以上になる場合に、端末（ＭＵＥ）が隣接セル（ＨｅＮＢ）のＣＲＳにより干渉を受けるＲＥ位置を除いてデコーディングする動作を行うように設定されてもよい。
【０２２１】
前述した本発明の様々な例示において、本発明の特徴的な動作として注目すべき一つは、サービングセルによりサービングされるある端末が、隣接セルのＣＲＳ及びデータにより強い干渉を受ける場合にも、端末は、隣接セルのＣＲＳに該当するＲＥ部分のみを除いてサービングセルから受信されるチャネルのデコーディングを行うということ、すなわち、隣接セルのデータに該当する部分は端末のデコーディングに含まれるということである。端末のこのような動作は、サービングセルにより隣接セルのＣＲＳ伝送ＲＥと重なるＲＥがパンクチャリングされ、これについて端末にシグナリングすることで行われてもよく、または、別のシグナリング無しで、端末が自分で干渉の強い隣接セルのＣＲＳ伝送ＲＥと重なるＲＥを除外することによって行われてもよい。図２７を参照して、本発明の一実施例に係るセル間干渉低減動作について具体的に説明する。
【０２２２】
図２７の例示では、第１のセル（ｃｅｌｌ  １）が干渉セルであり、第２のセル（ｃｅｌｌ  ２）が被害セルである場合を仮定する。言い換えると、ｃｅｌｌ  ２によりサービングされる端末に、ｃｅｌｌ  １からの信号が強い干渉を及ぼすとする。また、図２７に示すように、両セルのＣＲＳ伝送ＲＥは、１副搬送波だけシフトしているとする。図２７では、説明の明確性のために一つのサブフレームのＯＦＤＭシンボル０及び１のみを示し、一つのサブフレームの残りＯＦＤＭシンボルは、前述した実施例におけると同様に、各セルからのデータなどが伝送され、端末がこれを受信することができる。
【０２２３】
図２７に示すように、一つのサブフレームの先頭２  ＯＦＤＭシンボル（ＯＦＤＭシンボル０及び１）にわたって様々な制御チャネル（ＰＣＦＩＣＨ／ＰＨＩＣＨ／ＰＤＣＣＨ）を伝送することができる。第２のセル（ｃｅｌｌ  ２）によりサービングされる端末は、サブフレームｎで第１のセル（ｃｅｌｌ  １）からの干渉を測定することができる。図２７のサブフレームｎでハッチング表示されているように、第１のセル（ｃｅｌｌ  １）がＯＦＤＭシンボル０及び１で自身の制御チャネル信号を伝送することができる。端末にとっては、第１のセル（ｃｅｌｌ  １）のＣＲＳ（Ｒ０、Ｒ１、Ｒ２及びＲ３）とＣＲＳ以外の信号（ハッチング部分）とも強い干渉を誘発するものと測定される。このような強い干渉を解決するために、第１のセル（ｃｅｌｌ  １）は、サブフレームｎ＋１でＣＲＳ以外の信号はいずれも伝送しない動作を行うことができる。あるダウンリンクサブフレームでＣＲＳのみを伝送し、ＣＲＳ以外の信号はいずれも伝送しない場合に、このようなサブフレームをＡＢＳ（Ａｌｍｏｓｔ  Ｂｌａｎｋ  Ｓｕｂｆｒａｍｅ）と称することができる。このように第１のセル（ｃｅｌｌ  １）がサブフレームｎ＋１をＡＢＳに設定して伝送する場合に、端末は、第１のセル（ｃｅｌｌ  １）のＡＢＳ伝送動作を期待し、サブフレームｎ＋１で第２のセル（ｃｅｌｌ  ２）からのチャネルを受信することができる。具体的に、サブフレームｎ＋１で、端末は、第１のセル（ｃｅｌｌ  １）からはＣＲＳ伝送による干渉のみが存在するという仮定の下に、第１のセルのＣＲＳ伝送ＲＥ（ＯＦＤＭシンボル０及び１における副搬送波０、３、６及び９位置）を除く残りのＲＥを用いてチャネルデコーディングを行うことができる。言い換えると、第１のセル（ｃｅｌｌ  １）のＣＲＳ以外の信号から干渉を受けるＲＥ（例えば、ＯＦＤＭシンボル０の副搬送波２）は、たとえサブフレームｎのような一部サブフレームで強い干渉が検出されても、端末がチャネルをデコーディングするのに用いることができる。
【０２２４】
図２８は、本発明の一実施例に係るセル間干渉低減方法を示すフローチャートである。本発明の一実施例に係るセル間干渉低減方法の説明において、互いに干渉をする２個のセル、すなわち、第１のセル及び第２のセルが存在すると仮定する。以下の説明は、第１のセルが干渉セルで、第２のセルが被害セルである場合に、または、第１のセルが被害セルで、第２のセルが干渉セルである場合に適用することができる。
【０２２５】
段階Ｓ２８１０で、第１のセル（ｅＮＢ１）は、自身のダウンリンクサブフレームのＲＥのうち、第２のセル（ｅＮＢ２）のダウンリンクサブフレームのＣＲＳ伝送ＲＥと重なるＲＥを決定することができる。あるセルのＣＲＳパターンは、当該セルの伝送アンテナの個数、ダウンリンクサブフレームの種類（一般サブフレームか、またはＭＢＳＦＮサブフレームか）、サブフレーム境界のシフト（時間シフト）、ＣＲＳパターンの周波数シフト（Ｖ−ｓｈｉｆｔ）などの要素によって決定することができる。
【０２２６】
段階Ｓ２８２０で、段階Ｓ２８１０で決定されたＲＥ（すなわち、第１のセルのダウンリンクサブフレームのＲＥのうち、第２のセルのダウンリンクサブフレームのＣＲＳ伝送ＲＥと重なるＲＥ）のうちの一部のＲＥを、パンクチャリングされるＲＥと決定することができる。本発明では、段階Ｓ２８１０で決定されたＲＥの全部を、パンクチャリングされるＲＥと決定することを排除するわけではない。ただし、干渉と関連するＲＥのうちの一部の必要なＲＥのみを、パンクチャリングされるＲＥと決定することによって、データ伝送効率を大いに低下させないながらも、干渉調節の効率を高めることができる。
【０２２７】
ここで、段階Ｓ２８１０で決定されたＲＥのうち、パンクチャリングされるＲＥと決定される一部のＲＥは、第１のセルのダウンリンクサブフレームの制御領域及び／またはデータ領域に存在するＲＥでよい。さらに、段階Ｓ２８１０で決定されたＲＥのうち、パンクチャリングされるＲＥと決定される一部のＲＥは、第２のセルのＣＲＳ伝送アンテナポートの一部のアンテナポートに対応するＲＥでよい。
【０２２８】
段階Ｓ２８２０でパンクチャリングされるＲＥは、第１のセルのダウンリンクサブフレーム別にそれぞれ決定することができる。すなわち、ＲＥパンクチャリングパターンは、サブフレームごとに異なるように適用することができる。また、段階Ｓ２８２０でパンクチャリングされるＲＥには、段階Ｓ２８１０で決定されたＲＥに加えて、第１のセルのダウンリンクサブフレームＲＥのうち、第２のセルのダウンリンクサブフレームのＰＤＣＣＨ伝送領域と重なるＲＥをさらに含むことができる。さらに、第１のセルは、自身がサービングする端末にＲＥパンクチャリングパターンを示す情報を伝送することができる。
【０２２９】
段階Ｓ２８３０で、第１のセルは、自身のダウンリンクサブフレームにおいてパンクチャリングされるＲＥ以外の残りＲＥにＰＤＣＣＨ、ＰＤＳＣＨなどをマッピングすることができる。段階Ｓ２８４０で、第１のセルは、ダウンリンクサブフレームにマッピングされたＰＤＣＣＨ、ＰＤＳＣＨなどを端末に伝送することができる。
【０２３０】
図２８を参照して説明した本発明のセル間干渉低減方法において、前述した本発明の様々な実施例で説明した事項が独立して適用されてもよく、２以上の実施例が同時に適用されてもよく、なお、重複する内容は明確性のために説明を省略する。
【０２３１】
図２９は、本発明に係る基地局装置２９１０の好適な実施例を示す構成図である。
【０２３２】
図２９を参照すると、本発明に係る基地局装置２９１０は、受信モジュール２９１１、伝送モジュール２９１２、プロセッサ２９１３、メモリー２９１４及び複数個のアンテナ２９１５を備えることができる。複数個のアンテナ２９１５は、ＭＩＭＯ送受信を支援する基地局装置を意味する。受信モジュール２９１１は、端末からのアップリンク上の各種信号、データ及び情報を受信することができる。伝送モジュール２９１２は、端末へのダウンリンク上の各種信号、データ及び情報を伝送することができる。プロセッサ２９１３は、基地局装置２９１０全般の動作を制御することができる。
【０２３３】
本発明の一実施例に係る基地局装置２９１０は、セル間干渉を低減するように構成することができる。本発明の一実施例に係る基地局装置の説明において、互いに干渉をする２個のセル、すなわち、第１のセル及び第２のセルが存在すると仮定する。以下の説明は、第１のセルが干渉セルで、第２のセルが被害セルである場合、または、第１のセルが被害セルで、第２のセルが干渉セルである場合に適用することができる。基地局装置２９１０のプロセッサ２９１３は、受信モジュール２９１１及び伝送モジュール２９１２を介した第１のセルの信号送受信を制御することができる。プロセッサ２９１３は、第１のセルのダウンリンクサブフレームにおいて第２のセルのダウンリンクサブフレームのＣＲＳ伝送リソース要素と重なるリソース要素を決定するように構成することができる。プロセッサ２９１３は、第１のセルのダウンリンクサブフレームのうち、第２のセルのダウンリンクサブフレームのＣＲＳ伝送リソース要素と重なるリソース要素の一部を、パンクチャリングされるリソース要素と決定するように構成することができる。プロセッサ２９１３は、パンクチャリングされるリソース要素を除いて、第１のセルのダウンリンクサブフレームに一つ以上のダウンリンクチャネルをマッピングし、第１のセルのダウンリンクサブフレームにマッピングされた一つ以上のダウンリンクチャネルを、伝送モジュール２９１２を介して端末に伝送するように構成することができる。
【０２３４】
基地局装置２９１０のプロセッサ２９１３によって自身のダウンリンクサブフレームのＲＥのうち、第２のセルのダウンリンクサブフレームのＣＲＳ伝送ＲＥと重なるＲＥが決定されるに当たり、ＣＲＳパターンを、当該セルの伝送アンテナの個数、ダウンリンクサブフレームの種類（一般サブフレームか、またはＭＢＳＦＮサブフレームか）、サブフレーム境界のシフト（時間シフト）、ＣＲＳパターンの周波数シフト（Ｖ−ｓｈｉｆｔ）などの要素に基づいて決定されるとよい。また、プロセッサ２９１３によって決定されるパンクチャリングされるＲＥは、第１のセルのダウンリンクサブフレームの制御領域及び／またはデータ領域に存在するＲＥ、さらには、中でも第２のセルのＣＲＳ伝送アンテナポートの一部のアンテナポートに対応するＲＥでよい。これに加えて、プロセッサ２９１３によって決定される、パンクチャリングされるＲＥは、第１のセルのダウンリンクサブフレームＲＥのうち、第２のセルのダウンリンクサブフレームのＰＤＣＣＨ伝送領域と重なるＲＥをさらに含むことができる。また、プロセッサ２９１３は、パンクチャリングされるＲＥを第１のセルのダウンリンクサブフレーム別にそれぞれ決定するように構成されてもよい。なお、プロセッサ２９１３は、端末にＲＥパンクチャリングパターンを示す情報を伝送するように構成されてもよい。
【０２３５】
基地局装置２９１０のプロセッサ２９１３は、その他にも基地局装置２９１０が受信した情報、外部に伝送する情報などを演算処理する機能を有し、メモリー２９１４は、演算処理された情報などを所定時間記憶することができ、バッファー（図示せず）などの構成要素に取り替えてもよい。
【０２３６】
上記のような基地局装置の具体的な構成は、前述した本発明の様々な実施例で説明した事項が独立して適用されたり、２以上の実施例が同時に適用されるようにすることができ、重複する内容は明確性のために説明を省く。
【０２３７】
また、図２９の基地局装置２９１０についての説明は、ダウンリンク伝送主体またはアップリンク受信主体としての中継機装置にも同一に適用することができる。
【０２３８】
以上の本発明の実施例は、様々な手段、例えば、ハードウェア、ファームウェア（ｆｉｒｍｗａｒｅ）、ソフトウェアまたはそれらの結合などにより具現することができる。
【０２３９】
ハードウェアによる具現の場合に、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０２４０】
ファームウェアやソフトウェアによる具現の場合に、本発明の実施例に係る方法は、以上で説明された機能または動作を行うモジュール、手順、関数などの形態とすることができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを授受することができる。
【０２４１】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。例えば、当業者は、上記の実施例に記載された各構成を互いに組み合わせる方式で用いることができる。したがって、本発明は、ここに開示されている実施形態に制限されるものではなく、ここに開示されている原理及び新規な特徴と一致する最も広い範囲を与えるためのものである。
【０２４２】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成したり、出願後の補正により新しい請求項として含めることができる。
【産業上の利用可能性】
【０２４３】
上述のような本発明の実施の形態は、様々な移動通信システムに適用することができる。
【図１】
0005567153.tif 000047
【図２】
0005567153.tif 000048
【図３】
0005567153.tif 000049
【図４】
0005567153.tif 000050
【図５】
0005567153.tif 000051
【図６（ａ）】
0005567153.tif 000052
【図６（ｂ）】
0005567153.tif 000053
【図７】
0005567153.tif 000054
【図８】
0005567153.tif 000055
【図９】
0005567153.tif 000056
【図１０】
0005567153.tif 000057
【図１１】
0005567153.tif 000058
【図１２】
0005567153.tif 000059
【図１３】
0005567153.tif 000060
【図１４】
0005567153.tif 000061
【図１５】
0005567153.tif 000062
【図１６】
0005567153.tif 000063
【図１７】
0005567153.tif 000064
【図１８】
0005567153.tif 000065
【図１９】
0005567153.tif 000066
【図２０】
0005567153.tif 000067
【図２１】
0005567153.tif 000068
【図２２】
0005567153.tif 000069
【図２３】
0005567153.tif 000070
【図２４】
0005567153.tif 000071
【図２５】
0005567153.tif 000072
【図２６】
0005567153.tif 000073
【図２７】
0005567153.tif 000074
【図２８】
0005567153.tif 000075
【図２９】
0005567153.tif 000076